(57)【特許請求の範囲】
【請求項１】
基地局によって実行される方法であって、
スケジューリング割り当ての第一端末装置から第二端末装置への送信用の無線リソースと、前記第二端末装置との端末装置間（Ｄ２Ｄ）通信に前記第一端末装置が使用する、前記スケジューリング割り当てによりスケジュールされるＤ２Ｄデータの送信用の無線リソースと、を指定するダウンリンク制御情報（ＤＣＩ）を、物理ダウンリンク制御チャネル（ＰＤＣＣＨ）上で送信し、
前記第一端末装置のＤ２Ｄ無線ネットワーク一時アイデンティティ（ＲＮＴＩ）を使って前記ＤＣＩの巡回冗長検査（ＣＲＣ）部分を符号化し、
前記スケジューリング割り当ては、前記第一端末装置が前記第二端末装置に、どのような無線リソースによって前記Ｄ２Ｄデータを送信するかを、前記第二端末装置が知ることを可能にする情報である、方法。
【請求項２】
Ｄ２Ｄグラントに使用される前記ＤＣＩのＤＣＩフォーマットの長さが、広域ネットワーク（ＷＡＮ）通信に対するＤＣＩフォーマット０と同じ長さである、請求項１に記載の方法。
【請求項３】
前記第一端末装置に、Ｄ２Ｄ通信に利用可能なリソースグリッドのリソースブロックの数を指定するＤ２Ｄ帯域幅パラメータＮＤ２ＤＲＢを提供する、請求項１に記載の方法。
【請求項４】
前記第一端末装置に、スケジューリング割り当てリソースプールの開始部分を特定するリソースオフセット値を指定するスケジューリング割り当てリソースパラメータを提供する、請求項１に記載の方法。
【請求項５】
端末装置によって実行される方法であって、
スケジューリング割り当ての前記端末装置から第二端末装置への送信用の無線リソースと、前記スケジューリング割り当てによってスケジュールされる端末装置間（Ｄ２Ｄ）データの送信用の無線リソースと、を指定するダウンリンク制御情報（ＤＣＩ）を、物理ダウンリンク制御チャネル（ＰＤＣＣＨ）上で受信し、
前記スケジューリング割り当ての送信用の前記指定された無線リソースを用いて、前記第二端末装置への前記スケジューリング割り当ての送信を実行し、
前記Ｄ２Ｄデータの送信用の前記指定された無線リソースを用いて、前記第二端末装置への前記Ｄ２Ｄデータの送信を実行し、
前記スケジューリング割り当ては、前記端末装置が前記第二端末装置に、どのような無線リソースによって前記Ｄ２Ｄデータを送信するかを、前記第二端末装置が知ることを可能にする情報である、方法。
【請求項６】
前記端末装置のＤ２Ｄ無線ネットワーク一時アイデンティティ（ＲＮＴＩ）を使って、符号化された前記ＤＣＩの巡回冗長検査（ＣＲＣ）部分を判定する、請求項５に記載の方法。
【請求項７】
Ｄ２Ｄグラントに使用される前記ＤＣＩのＤＣＩフォーマットの長さが、広域ネットワーク（ＷＡＮ）通信に対するＤＣＩフォーマット０と同じ長さである、請求項５に記載の方法。
【請求項８】
Ｄ２Ｄ通信に利用可能なリソースグリッドのリソースブロックの数を指定するＤ２Ｄ帯域幅パラメータＮＤ２ＤＲＢを取得する、請求項５に記載の方法。
【請求項９】
スケジューリング割り当てリソースプールの開始部分を特定するリソースオフセット値を指定するスケジューリング割り当てリソースパラメータを取得する、請求項５に記載の方法。
【請求項１０】
スケジューリング割り当ての第一端末装置から第二端末装置への送信用の無線リソースと、前記第二端末装置との端末装置間（Ｄ２Ｄ）通信に前記第一端末装置が使用する、前記スケジューリング割り当てによりスケジュールされるＤ２Ｄデータの送信用の無線リソースと、を指定するダウンリンク制御情報（ＤＣＩ）を生成する制御部と、
前記ＤＣＩを、物理ダウンリンク制御チャネル（ＰＤＣＣＨ）上で前記第一端末装置に送信する送信部と、
を含み、
前記送信部は、前記第一端末装置のＤ２Ｄ無線ネットワーク一時アイデンティティ（ＲＮＴＩ）を使って前記ＤＣＩの巡回冗長検査（ＣＲＣ）部分を符号化し、
前記スケジューリング割り当ては、前記第一端末装置が前記第二端末装置に、どのような無線リソースによって前記Ｄ２Ｄデータを送信するかを、前記第二端末装置が知ることを可能にする情報である、基地局。
【請求項１１】
Ｄ２Ｄグラントに使用される前記ＤＣＩのＤＣＩフォーマットの長さが、広域ネットワーク（ＷＡＮ）通信に対するＤＣＩフォーマット０と同じ長さである、請求項１０に記載の基地局。
【請求項１２】
前記制御部は、前記第一端末装置に、Ｄ２Ｄ通信に利用可能なリソースグリッドのリソースブロックの数を指定するＤ２Ｄ帯域幅パラメータＮＤ２ＤＲＢを提供する、請求項１０に記載の基地局。
【請求項１３】
前記制御部は、前記第一端末装置に、スケジューリング割り当てリソースプールの開始部分を特定するリソースオフセット値を指定するスケジューリング割り当てリソースパラメータを提供する、請求項１０に記載の基地局。
【請求項１４】
無線インターフェースを介して物理ダウンリンク制御チャネル（ＰＤＣＣＨ）を受信するレシーバを含む端末装置であって、
スケジューリング割り当ての前記端末装置から第二端末装置への送信用の無線リソースと、前記第二端末装置との端末装置間（Ｄ２Ｄ）通信に前記端末装置が使用する、前記スケジューリング割り当てによりスケジュールされるＤ２Ｄデータの送信用の無線リソースと、を指定する、前記物理ダウンリンク制御チャネル（ＰＤＣＣＨ）上のダウンリンク制御情報（ＤＣＩ）を得る制御部と、
前記スケジューリング割り当ての送信用の前記指定された無線リソースを用いた、第二端末装置への前記スケジューリング割り当ての送信と、前記Ｄ２Ｄデータの送信用の前記指定された無線リソースを用いた、前記第二端末装置への前記Ｄ２Ｄデータの送信と、を実行する送信部と、
をさらに含み、
前記スケジューリング割り当ては、前記端末装置が前記第二端末装置に、どのような無線リソースによって前記Ｄ２Ｄデータを送信するかを、前記第二端末装置が知ることを可能にする情報である、
端末装置。
【請求項１５】
前記制御部は、前記端末装置のＤ２Ｄ無線ネットワーク一時アイデンティティ（ＲＮＴＩ）を使って、符号化された前記ＤＣＩの巡回冗長検査（ＣＲＣ）部分を判定する、請求項１４に記載の端末装置。
【請求項１６】
Ｄ２Ｄグラントに使用される前記ＤＣＩのＤＣＩフォーマットの長さが、広域ネットワーク（ＷＡＮ）通信に対するＤＣＩフォーマット０と同じ長さである、請求項１４に記載の端末装置。
【請求項１７】
前記制御部は、Ｄ２Ｄ通信に利用可能なリソースグリッドのリソースブロックの数を指定するＤ２Ｄ帯域幅パラメータＮＤ２ＤＲＢを備える、請求項１４に記載の端末装置。
【請求項１８】
前記制御部は、スケジューリング割り当てリソースプールの開始部分を特定するリソースオフセット値を指定するスケジューリング割り当てリソースパラメータを備える、請求項１４に記載の端末装置。
【請求項１９】
無線インターフェースを介して物理ダウンリンク制御チャネル（ＰＤＣＣＨ）を受信するステップを含む、端末装置によって実行される方法であって、
スケジューリング割り当ての前記端末装置から第二端末装置への送信用の無線リソースと、前記第二端末装置との端末装置間（Ｄ２Ｄ）通信に前記端末装置が使用する、前記スケジューリング割り当てによりスケジュールされるＤ２Ｄデータの送信用の無線リソースと、を指定する、前記物理ダウンリンク制御チャネル（ＰＤＣＣＨ）上のダウンリンク制御情報（ＤＣＩ）を取得し、
前記スケジューリング割り当ての送信用の前記指定された無線リソースを用いて、第二端末装置への前記スケジューリング割り当ての送信を実行し、
前記Ｄ２Ｄデータの送信用の前記指定された無線リソースを用いて、前記第二端末装置への前記Ｄ２Ｄデータの送信を実行し、
前記スケジューリング割り当ては、前記端末装置が前記第二端末装置に、どのような無線リソースによって前記Ｄ２Ｄデータを送信するかを、前記第二端末装置が知ることを可能にする情報である、
方法。
【請求項２０】
前記端末装置のＤ２Ｄ無線ネットワーク一時アイデンティティ（ＲＮＴＩ）を使って、符号化された前記ＤＣＩの巡回冗長検査（ＣＲＣ）部分を判定する、請求項１９に記載の方法。
【請求項２１】
Ｄ２Ｄグラントに使用される前記ＤＣＩのＤＣＩフォーマットの長さが、広域ネットワーク（ＷＡＮ）通信に対するＤＣＩフォーマット０と同じ長さである、請求項１９に記載の方法。
【発明の詳細な説明】
【技術分野】
【０００１】
本出願は、２０１４年３月１８日出願の米国仮特許出願第６１／９５５，０１９号、名称「ワイヤレス端末装置間通信のスケジューリング（ＳＣＨＥＤＵＬＩＮＧ  ＷＩＲＥＬＥＳＳ  ＤＥＶＩＣＥ−ＴＯ−ＤＥＶＩＣＥ  ＣＯＭＭＵＮＩＣＡＴＩＯＮＳ）」の優先権および利点を請求し、前記米国仮特許出願は参照することにより本明細書に組み込まれる。
【０００２】
本技術はワイヤレス通信に関し、具体的には、ワイヤレス端末装置間（Ｄ２Ｄ：ｄｅｖｉｃｅ−ｔｏ−ｄｅｖｉｃｅ）通信に対する無線リソースの配分またはグラントに関する。
【背景技術】
【０００３】
セル方式ネットワークまたは他の通信システムの二つのユーザ装置端末装置が相互に通信するとき、通常、それらのデータパスは事業者のネットワークを介する。このネットワーク経由のデータパスには、基地局および／またはゲートウェイが含まれ得る。これら２つのデバイスが相互に近接近している場合、これらデバイスのデータパスは、ローカルの基地局を介してローカルに経路設定される。一般に、基地局などのネットワークノードとワイヤレス端末装置との間の通信は、「ＷＡＮ」または「セル方式通信」として知られる。
【０００４】
また、相互に近接近している２つのユーザ装置端末装置が、基地局を経由する必要なしに直接のリンクを確立することも可能である。電気通信システムは、端末装置間（Ｄ２Ｄ）通信を使用または可能にすることができ、この通信では、二つ以上のユーザ装置端末装置が相互に直接通信する。Ｄ２Ｄ通信では、一つのユーザ装置端末装置から一つ以上の他のユーザ装置端末装置への音声およびデータのトラフィック（本明細書では「通信信号」という）は、電気通信システムの基地局または他のネットワーク制御デバイスを介して通信されなくてもよい。この点で、端末装置間（Ｄ２Ｄ）通信は、「ＷＡＮ」または「セル方式通信」とは異なる。最近になって、端末装置間（Ｄ２Ｄ）通信は「サイドリンク直接通信」としても知られるようになっている。
【０００５】
Ｄ２Ｄ通信、例えばサイドリンク直接通信は、任意の適した電気通信規格に従って実装されたネットワークにおいて使用が可能である。かかる規格の、限定されない一例に、第三世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）の長期的な進化仕様（ＬＴＥ：Ｌｏｎｇ  Ｔｅｒｍ  Ｅｖｏｌｕｔｉｏｎ）がある。３ＧＰＰ規格は、現在および将来世代のワイヤレス通信システムのためのグローバルに提供可能なテクニカルスペシフィケーションおよび技術レポートを定義することを目的とした提携契約である。３ＧＰＰは、次世代の移動ネットワーク、システム、およびデバイスのための仕様を定義することができる。３ＧＰＰ  ＬＴＥは、将来の必要性を取り扱うためのユニバーサル移動体電気通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の携帯電話またはデバイスの規格を改良するためのプロジェクトに与えられた名称である。一面において、ＵＭＴＳは、進化型ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）および進化型ユニバーサル地上無線アクセスネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）に対するサポートおよび仕様を提供するため修正されてきている。Ｅ−ＵＴＲＡＮは、Ｄ２Ｄ通信が使用可能な電気通信規格の別の非限定の例である。
【０００６】
少なくとも一部に端末装置間（Ｄ２Ｄ）通信（例えば「サイドリンク直接通信」）を記述している３ＧＰＰ文書の非排他的リストには、以下の文書が含まれる。
【０００７】
３ＧＰＰ  ＴＳ３６．２０１バージョン１２．１．０、テクニカルスペシフィケーション（Ｔｅｃｈｎｉｃａｌ  Ｓｐｅｃｉｆｉｃａｔｉｏｎ）、第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ）；テクニカルスペシフィケーショングループ無線アクセスネットワーク（Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ）；進化型ユニバーサル地上無線アクセス（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ））；ＬＴＥ物理層（ＬＴＥ  Ｐｈｙｓｉｃａｌ  Ｌａｙｅｒ）；概要（Ｇｅｎｅｒａｌ  Ｄｅｓｃｒｉｐｔｉｏｎ）（リリース１２）（２０１４年１２月）。
【０００８】
３ＧＰＰ  ＴＳ３６．２１１バージョン１２．４．０、テクニカルスペシフィケーション、第三世代パートナーシッププロジェクト；テクニカルスペシフィケーショングループ無線アクセスネットワーク；進化型ユニバーサル地上無線アクセス（Ｅ−ＵＴＲＡ）；物理チャネルおよび変調（Ｐｈｙｓｉｃａｌ  Ｃｈａｎｎｅｌｓ  ａｎｄ  Ｍｏｄｕｌａｔｉｏｎ）（リリース１２）（２０１４年１２月）。
【０００９】
３ＧＰＰ  ＴＳ３６．２１２バージョン１２．３．０、テクニカルスペシフィケーション、第三世代パートナーシッププロジェクト；テクニカルスペシフィケーショングループ無線アクセスネットワーク；進化型ユニバーサル地上無線アクセス（Ｅ−ＵＴＲＡ）；多重化およびチャネル符号化（Ｍｕｌｔｉｐｌｅｘｉｎｇ  ａｎｄ  Ｃｈａｎｎｅｌ  Ｃｏｄｉｎｇ）（リリース１２）（２０１４年１２月）。
【００１０】
３ＧＰＰ  ＴＳ３６．２１３バージョン１２．０．０、テクニカルスペシフィケーション、第三世代パートナーシッププロジェクト；テクニカルスペシフィケーショングループ無線アクセスネットワーク；進化型ユニバーサル地上無線アクセス（Ｅ−ＵＴＲＡ）；物理層プロシージャ（Ｐｈｙｓｉｃａｌ  Ｌａｙｅｒ  Ｐｒｏｃｅｄｕｒｅｓ）（リリース１２）（２０１３年１２月）。
【００１１】
３ＧＰＰ  ＴＳ３６．２１４バージョン１２．１．０、テクニカルスペシフィケーション、第三世代パートナーシッププロジェクト；テクニカルスペシフィケーショングループ無線アクセスネットワーク；進化型ユニバーサル地上無線アクセス（Ｅ−ＵＴＲＡ）；物理層測定（Ｐｈｙｓｉｃａｌ  Ｌａｙｅｒ；Ｍｅａｓｕｒｅｍｅｎｔｓ）（リリース１２）（２０１４年１２月）。
【００１２】
３ＧＰＰ  ＴＳ３６．３００バージョン１２．４．０、テクニカルスペシフィケーション、第三世代パートナーシッププロジェクト；テクニカルスペシフィケーショングループ無線アクセスネットワーク；進化型ユニバーサル地上無線アクセス（Ｅ−ＵＴＲＡ）および進化型ユニバーサル地上無線アクセスネットワーク（Ｅ−ＵＴＲＡＮ）：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ；全般説明（Ｏｖｅｒａｌｌ  Ｄｅｓｃｒｉｐｔｉｏｎ）；ステート（Ｓｔａｔｅ）２（リリース１２）（２０１４年１２月）。
【００１３】
３ＧＰＰ  ＴＳ３６．３０４バージョン１２．３．０、テクニカルスペシフィケーション、第三世代パートナーシッププロジェクト；テクニカルスペシフィケーショングループ無線アクセスネットワーク；進化型ユニバーサル地上無線アクセス（Ｅ−ＵＴＲＡ）；アイドルモードにおけるユーザ装置（ＵＥ）プロシージャ（Ｕｓｅｒ  Ｅｑｕｉｐｍｅｎｔ（ＵＥ）  Ｐｒｏｃｅｄｕｒｅｓ  ｉｎ  Ｉｄｌｅ  Ｍｏｄｅ）（リリース１２）（２０１４年１２月）。
【００１４】
３ＧＰＰ  ＴＳ３６．３０６バージョン１２．３．０、テクニカルスペシフィケーション、第三世代パートナーシッププロジェクト；テクニカルスペシフィケーショングループ無線アクセスネットワーク；進化型ユニバーサル地上無線アクセス（Ｅ−ＵＴＲＡ）；ユーザ装置（ＵＥ）無線アクセス能力（Ｕｓｅｒ  Ｅｑｕｉｐｍｅｎｔ（ＵＥ）  Ｒａｄｉｏ  Ａｃｃｅｓｓ  Ｃａｐａｂｉｌｉｔｉｅｓ）（リリース１２）（２０１４年１２月）。
【００１５】
３ＧＰＰ  ＴＳ３６．３２１バージョン１２．４．０、テクニカルスペシフィケーション、第三世代パートナーシッププロジェクト；テクニカルスペシフィケーショングループ無線アクセスネットワーク；進化型ユニバーサル地上無線アクセス（Ｅ−ＵＴＲＡ）；媒体アクセス制御（ＭＡＣ）プロトコルスペシフィケーション（Ｍｅｄｉｕｍ  Ａｃｃｅｓｓ  Ｃｏｎｔｒｏｌ（ＭＡＣ）  Ｐｒｏｔｏｃｏｌ  Ｓｐｅｃｉｆｉｃａｔｉｏｎ）（リリース１２）（２０１４年１２月）。
【００１６】
３ＧＰＰ  ＴＳ３６．３２２バージョン１２．１．０、テクニカルスペシフィケーション、第三世代パートナーシッププロジェクト；テクニカルスペシフィケーショングループ無線アクセスネットワーク；進化型ユニバーサル地上無線アクセス（Ｅ−ＵＴＲＡ）；無線リンク制御（ＰＬＣ）プロトコルスペシフィケーション（Ｒａｄｉｏ  Ｌｉｎｋ  Ｃｏｎｔｒｏｌ（ＲＬＣ）  Ｐｒｏｔｏｃｏｌ  Ｓｐｅｃｉｆｉｃａｔｉｏｎ）（リリース１２）（２０１４年９月）。
【００１７】
３ＧＰＰ  ＴＳ３６．３２３バージョン１２．２．０、テクニカルスペシフィケーション、第三世代パートナーシッププロジェクト；テクニカルスペシフィケーショングループ無線アクセスネットワーク；進化型ユニバーサル地上無線アクセス（Ｅ−ＵＴＲＡ）；パケットデータ収束プロトコル（ＰＤＣＰ）スペシフィケーション（Ｐａｃｋｅｔ  ｄａｔａ  Ｃｏｎｖｅｒｇｅｎｃｅ  Ｐｒｏｔｏｃｏｌ（ＰＤＣＰ）  Ｓｐｅｃｉｆｉｃａｔｉｏｎ）（リリース１２）（２０１４年１２月）。
【００１８】
および、３ＧＰＰ  ＴＳ３６．３３１バージョン１２．４．０、テクニカルスペシフィケーション、第三世代パートナーシッププロジェクト；テクニカルスペシフィケーショングループ無線アクセスネットワーク；進化型ユニバーサル地上無線アクセス（Ｅ−ＵＴＲＡ）；無線リソース制御（ＲＲＣ）プロトコルスペシフィケーション（Ｒａｄｉｏ  Ｒｅｓｏｕｒｃｅ  Ｃｏｎｔｒｏｌ（ＲＲＣ）  Ｐｒｏｔｏｃｏｌ  Ｓｐｅｃｉｆｉｃａｔｉｏｎ）（リリース１２）（２０１４年１２月）。
【００１９】
３ＧＰＰのＲＡＮ１作業グループは、公共安全および特定の非公共安全上の必要事項のために近接サービス（ＰｒｏＳｅ：Ｐｒｏｘｉｍｉｔｙ  Ｓｅｒｖｉｃｅ）を可能にする端末装置間（Ｄ２Ｄ）通信ができるようにするため、ＬＴＥの機能を拡張する研究をしてきた（例えば、ＲＰ−１２２００９を参照）。しかしながら、３ＧＰＰのＲＡＮ１作業グループは、ネットワーク内およびネットワーク外の両方において、リソース配分および割り当てをどのように管理するかに関し、十分にはまとめ切っていない。それどころか、協議の多くが、時間／周波数Ｄ２Ｄ協議の対象の場所を決めるためにリソース配分の通知、すなわち、リソースのブロックの時間／周波数ロケーションを、ｅＮＢによってどのようにワイヤレス端末装置の集団に伝達するかに集中されている。具体的には、現在の協議の多くが、カバレッジの外の通信およびカバレッジ外でＤ２Ｄの送信をどのように行うかに関するものである。
【００２０】
カバレッジ内およびカバレッジ外の両方において、ワイヤレス端末装置が、端末装置間（Ｄ２Ｄ）通信のためのリソースプール（例えば、時間／周波数リソースのプール）を知る必要があること、および端末装置間（Ｄ２Ｄ）参加対象の全ワイヤレス端末装置が、端末装置間（Ｄ２Ｄ）のためのスケジューリング割り当てを自分がどのように受信するかを知るべきであることが提案されている。ＲＲ−１４０１２６ドラフトＴＲ３６．８４３、バージョン１．２．０、ＬＴＥ端末装置間近接サービスの調査；無線アスペクト（Ｓｔｕｄｙ  ｏｎ  ＬＴＥ  Ｄｅｖｉｃｅ  ｔｏ  Ｄｅｖｉｃｅ  Ｐｒｏｘｉｍｉｔｙ  Ｓｅｒｖｉｃｅｓ；Ｒａｄｉｏ  Ａｓｐｅｃｔｓ）を参照されたい。
【００２１】
また、「ＰｒｏＳｅ  ＵＥがＥ−ＵＴＲＡＮによってサービスされているならば、ＰｒｏＳｅと他のＥ−ＵＴＲＡＮサービスとの間での連続的なネットワーク制御および適応リソース配分」があることも受け入れられている。このことは、図１１中に示されるように、Ｄ２Ｄ対応ワイヤレス端末装置がネットワーク制御の下にありＥ−ＥＵＴＲＡＮリソースを用いているときは、該端末装置はネットワーク制御下にあることを基本的に意味する。例えば、ＲＲ−１４０１２６ドラフトＴＲ３６．８４３、バージョン１．２．０、ＬＴＥ端末装置間近接サービスの調査；無線アスペクト（Ｓｔｕｄｙ  ｏｎ  ＬＴＥ  Ｄｅｖｉｃｅ  ｔｏ  Ｄｅｖｉｃｅ  Ｐｒｏｘｉｍｉｔｙ  Ｓｅｒｖｉｃｅｓ；Ｒａｄｉｏ  Ａｓｐｅｃｔｓ）を参照されたい。
【００２２】
３ＧＰＰ  ＲＡＮ２の合意事項は、オペレーションの２つのモード、すなわち、モード１（これはスケジュール型で、ワイヤレス端末装置は、端末装置間（Ｄ２Ｄ）通信を受信するために、無線リソース制御（ＲＲＣ）接続モードにある必要がある）および自律型のモード２を検討している。例えば、３ＧＰＰウェブサイトの会議レポート分野、ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿８５／Ｒｅｐｏｒｔ／から読み出せる「Ｒ２−１４ｘｘｘｘ＿ｄｒａｆｔ＿ｒｅｐｏｒｔ＿ＲＡＮ２＿８５＿Ｐｒａｇｕｅ＿（ｖ０．１）．ｄｏｃ」を参照されたい。これらの合意事項には、とりわけ、以下の事項がある：
・全てのＵＥ（モード１（スケジュール型）およびモード２（自律型））には、これらＵＥがスケジューリング割り当ての受信を試みるリソースプール（時間および周波数）が提供される。
・２  モード１において、ＵＥはｅＮＢに送信リソースを要求する。ｅＮＢは、スケジューリング割り当て（群）およびデータの送信のための送信リソースをスケジュールする。
・２ａ  モード１において、ＵＥは、ＵＥがＤ２Ｄ送信を実施しようと意図していることと、要求されるリソースの量とをｅＮＢが判断できるベースであるＢＳＲに後続して、ｅＮＢにスケジューリング要求（Ｄ−ＳＲまたはＲＡ）を送信する。
・２ｂ  モード１において、ｅＮＢがどのようにＵＥに対し送信リソースを示すかはさらなる研究対象である。
・２ｃ  モード１において、ＵＥは、Ｄ２Ｄ通信を送信するために、ＲＲＣに接続されていることを必要とする。
【発明の概要】
【発明が解決しようとする課題】
【００２３】
３ＧＰＰ  ＴＳ３６．２１３バージョン１２．０．０は、Ｄ２Ｄ同報通信のため、何らかの方法でのＵＬグラントの適合化を構想している。但し、時間周波数リソースの正確なシグナリングは特定されていない。さらに、通常、Ｄ２Ｄがネットワーク制御下にとどまるために、使用対象となるＤ２Ｄ帯域幅はＵＬの搬送波のサブセットということになる。
【００２４】
上記から、Ｄ２Ｄグラント、望ましくはレガシ機能を組み込んだおよび／またはこれと両立する表現を有するＤ２Ｄグラント、を提供するための方法、装置、および／または技法が必要とされている。これらの方法、装置、および／または技法は、システムの複雑さを軽減し、通信のフレキしビリティおよび効率を向上させる利点を提供するものである。
【課題を解決するための手段】
【００２５】
様々な態様の一つにおいて、本明細書で開示される技術は、無線インターフェースを介して第一ワイヤレス端末装置と通信する無線アクセスノードを作動する方法に関する。一般的な実施形態およびモードにおいて、本方法は、無線アクセスノードが、第一ワイヤレス端末装置が第二端ワイヤレス端末装置との端末装置間（Ｄ２Ｄ）通信のため使うことを許可された無線リソースを指定する、端末装置間（Ｄ２Ｄ）グラントを生成するステップを含む。本方法は、無線アクセスノードが、Ｄ２Ｄグラントを含むサブフレームを第一ワイヤレス端末装置に送信するステップをさらに含む。
【００２６】
或る例示の実施形態およびモードにおいて、本方法は、既存の業界標準化フィールド（群）中の値（群）を端末装置間（Ｄ２Ｄ）グラントに関する情報と置き換えることによって、業界標準化チャネルの既存の業界標準化フィールド（群）中に端末装置間（Ｄ２Ｄ）グラントを含めるステップをさらに含む。
【００２７】
或る例示の実施形態およびモードにおいて、業界標準チャネルは、少なくとも一部のサブフレームが、アップリンク通信のための無線リソースのグラント含むダウンリンク制御チャネルであるが、但し、選択されたサブフレームが端末装置間（Ｄ２Ｄ）グラントを代わりに含む。別の例示の実施形態およびモードにおいて、この選択されたサブフレームのためのチャネルは、物理ダウンリンク共用チャネル（ＰＤＳＣＨ：ｐｈｙｓｉｃａｌ  ｄｏｗｎｌｉｎｋ  ｓｈａｒｅｄ  ｃｈａｎｎｅｌ）であり、ＰＤＳＣＨの媒体アクセス制御（ＭＡＣ：ｍｅｄｉｕｍ  ａｃｃｅｓｓ  ｃｏｎｔｒｏｌ）制御要素は、リソースグリッドの何のリソースブロックが、端末装置間（Ｄ２Ｄ）通信のための無線リソースとして使用されるかを指定するように構成される。
【００２８】
或る例示の実施形態およびモードにおいて、本方法は、無線アクセスノードが、Ｄ２Ｄグラントを含むための選択されたサブフレームの物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）のダウンリンク制御情報（ＤＣＩ：Ｄｏｗｎｌｉｎｋ  Ｃｏｎｔｒｏｌ  Ｉｎｆｏｒｍａｔｉｏｎ）を設定するステップをさらに含む。或る例示の実施形態およびモードにおいて、Ｄ２Ｄグラントのために使われることになるＤＣＩフォーマットの長さは、広域ネットワーク（ＷＡＮ：ｗｉｄｅ  ａｒｅａ  ｎｅｔｗｏｒｋ）通信に対するＤＣＩフォーマット０と同じ長さである。或る例示の実施形態およびモードにおいて、Ｄ２Ｄグラントのために使われることになるＤＣＩフォーマットは、広域ネットワーク（ＷＡＮ）通信に対するＤＣＩフォーマット０と共用される。
【００２９】
或る例示の方法およびモードにおいて、ダウンリンク制御情報（ＤＣＩ）のリソースブロック割り当てフィールドは、リソースグリッドの何のリソースブロックが端末装置間（Ｄ２Ｄ）通信のための無線リソースとして使用されるかを指定するよう設定することができる。ダウンリンク制御情報（ＤＣＩ）がリソース配分型フィールドを含むように構成されていて、リソース配分型フィールドがリソース配分型０を示している或る例示の実施形態およびモードにおいて、ダウンリンク制御情報（ＤＣＩ）のリソースブロック割り当てフィールドは、リソース指示値（ＲＩＶ：ｒｅｓｏｕｒｃｅ  ｉｎｄｉｃａｔｉｏｎ  ｖａｌｕｅ）を含む。リソース指示値（ＲＩＶ）は、開始リソースブロック、および切れ目なく配分されるリソースブロックの期間の長さ（ＬＣＲＢ：ｌｅｎｇｔｈ  ｉｎ  ｔｅｒｍｓ  ｏｆ  ｃｏｎｔｉｇｕｏｕｓｌｙ  ａｌｌｏｃａｔｅｄ  ｒｅｓｏｕｒｃｅ  ｂｌｏｃｋｓ）に対応する。他方、リソース配分型フィールドがリソース配分型１を示している場合、ダウンリンク制御情報（ＤＣＩ）のリソースブロック割り当てフィールドは、組み合わせインデックスｒを含み、このｒからＤ２Ｄ通信のため用いられるリソースブロックの二つのセットを判断することができる。
【００３０】
或る例示の実施形態およびモードにおいて、本方法は、無線アクセスノードが、時間ドメインスケジューリング情報を含めるため、ダウンリンク制御情報（ＤＣＩ）の下記のフィールドの一つ以上を設定するステップを含む：チャネル状態情報（ＣＳＩ：Ｃｈａｎｎｅｌ  Ｓｔａｔｅ  Ｉｎｆｏｒｍａｔｉｏｎ）要求フィールド、サウンディング参照信号（ＳＲＳ：Ｓｏｕｎｄｉｎｇ  Ｒｅｆｅｒｅｎｃｅ  Ｓｉｇｎａｌ）要求フィールド、アップリンクインデックスフィールド、リソース配分フィールド、変調および符号化スキーム（ＭＳＣ：ｍｏｄｕｌａｔｅｄ  ａｎｄ  ｃｏｄｉｎｇ  ｓｃｈｅｍｅ）／冗長バージョン（ＲＶ：ｒｅｄｕｎｄａｎｃｙ  ｖｅｒｓｉｏｎ）フィールド。
【００３１】
或る例示の実施形態およびモードにおいて、本方法は、無線アクセスノードが、Ｄ２Ｄグラントが第一ワイヤレス端末装置に向けられていることを指定するために、ダウンリンク制御情報（ＤＣＩ）の少なくとも一部を設定するステップをさらに含む。或る例示の実装おいて、無線アクセスノードは、Ｄ２Ｄグラントが第一ワイヤレス端末装置に向けられていることを指定するために、ワイヤレス端末装置のＤ２Ｄ無線ネットワーク一時アイデンティティ（ＲＮＴＩ：ｒａｄｉｏ  ｎｅｔｗｏｒｋ  ｔｅｍｐｏｒａｒｙ  ｉｄｅｎｔｉｔｙ）を使って、ダウンリンク制御情報（ＤＣＩ）の巡回冗長検査（ＣＲＣ：ｃｙｃｌｉｃａｌ  ｒｅｄｕｎｄａｎｃｙ  ｃｈｅｃｋ）部分を符号化する。
【００３２】
或る例示の実施形態およびモードにおいて、本方法は、Ｄ２Ｄ通信のために利用可能な、リソースグリッドのリソースブロックの数を指定するＤ２Ｄ帯域幅パラメータＮＤ２ＤＲＢを第一ワイヤレス端末装置に提供するステップをさらに含む。
【００３３】
或る例示の実施形態およびモードにおいて、本方法は、ノードが、スケジューリング割り当てリソースプールの開始位置を特定するリソースオフセット値を指定するスケジューリング割り当てリソースパラメータを、第一ワイヤレス端末装置に提供するステップをさらに含む。
【００３４】
本明細書で開示される技術の別の態様において、該技術は、無線インターフェースを介して第一ワイヤレス端末装置と通信する、通信ネットワークの無線アクセスノードに関する。ある例示の実施形態において、本ノードは、プロセッサおよびトランスミッタを含む。プロセッサは、選択されたサブフレームに対する端末装置間（Ｄ２Ｄ）グラントを生成するようになされる。端末装置間（Ｄ２Ｄ）グラントは、第一ワイヤレス端末装置が、第二ワイヤレス端末装置と端末装置間（Ｄ２Ｄ）通信するために使用を許可された無線リソースを指定する。トランスミッタは、Ｄ２Ｄグラントを含むサブフレームを、無線インターフェースを介して第一ワイヤレス端末装置に送信するようになされる。
【００３５】
或る例示の実施形態において、ノードプロセッサは、既存の業界標準化フィールド（群）中の値（群）を端末装置間（Ｄ２Ｄ）グラントに関する情報と置き換えることによって、業界標準化チャネルの既存の業界標準化フィールド（群）中に端末装置間（Ｄ２Ｄ）グラントを含める。
【００３６】
或る例示の実施形態において、チャネルは、少なくとも一部のサブフレームがアップリンク通信のための無線リソースのグラントを含む、ダウンリンク制御チャネルであるが、但し、選択されたサブフレームが端末装置間（Ｄ２Ｄ）グラントを代わりに含む。別の例示の実施形態において、選択されたサブフレームのための物理チャネルは、物理ダウンリンク共用チャネル（ＰＤＳＣＨ）であり、ＰＤＳＣＨの媒体アクセス制御（ＭＡＣ）制御要素は、リソースグリッドの何のリソースブロックが、端末装置間（Ｄ２Ｄ）通信のための無線リソースとして使用されるかを指定するように設定される。
【００３７】
或る例示の実施形態において、ノードプロセッサは、端末装置間（Ｄ２Ｄ）グラントを含めるため、選択されたサブフレームの物理ダウンリンク制御チャネル（ＰＤＣＣＨ）を構成するようになされる。或る例示の実施形態において、プロセッサは、Ｄ２Ｄグラントを含めるため、サブフレームの物理ダウンリンク制御チャネル（ＰＤＣＣＨ）のダウンリンク制御情報（ＤＣＩ）を設定するようになされる。或る例示の実施形態およびモードにおいて、Ｄ２Ｄグラントに対して使用されるＤＣＩフォーマットの長さは、広域ネットワーク（ＷＡＮ）通信に対するＤＣＩフォーマット０と同じ長さである。或る例示の実施形態およびモードにおいて、Ｄ２Ｄグラントに対して使用されるＤＣＩフォーマットは、広域ネットワーク（ＷＡＮ）通信に対するＤＣＩフォーマット０と共用される。
【００３８】
或る例示の実施形態において、プロセッサは、リソースグリッドの何のリソースブロックが端末装置間（Ｄ２Ｄ）通信のための無線リソースとして使用されるかを指定するため、ダウンリンク制御情報（ＤＣＩ）のリソースブロック割り当てフィールドを設定するようになされる。ＤＣＩのリソース配分型フィールドがリソース配分型０を示している場合、プロセッサは、リソース指示値（ＲＩＶ）を含めるように、ダウンリンク制御情報（ＤＣＩ）のリソースブロック割り当てフィールドを設定する。リソース指示値（ＲＩＶ）は、開始リソースブロック、および切れ目なく配分されるリソースブロックの期間の長さ（ＬＣＲＢ）に対応する。他方、リソース配分型フィールドがリソース配分型１を示している場合、プロセッサは、組み合わせインデックスｒを含めるように、ダウンリンク制御情報（ＤＣＩ）のリソースブロック割り当てフィールドを設定し、このｒからＤ２Ｄ通信のため用いられるリソースブロックの二つのセットを判断することができる。
【００３９】
或る例示の実施形態において、ノードプロセッサは、時間ドメインスケジューリング情報を含めるため、ダウンリンク制御情報（ＤＣＩ）の下記のフィールドの一つ以上を設定するようになされる：ＣＳＩ要求フィールド、ＳＲＳ要求フィールド、アップリンクインデックスフィールド、リソース配分フィールド、変調および符号化スキーム（ＭＳＣ）／冗長バージョン（ＲＶ）フィールド。
【００４０】
或る例示の実施形態において、ノードプロセッサは、Ｄ２Ｄグラントが第一ワイヤレス端末装置に向けられていることを指定するために、ダウンリンク制御情報（ＤＣＩ）の少なくとも一部を設定するようになされる。或る特定の実装において、プロセッサは、Ｄ２Ｄグラントが第一ワイヤレス端末装置に向けられていることを指定するために、ワイヤレス端末装置のＤ２Ｄ無線ネットワーク一時アイデンティティ（ＲＮＴＩ）を使って、ダウンリンク制御情報（ＤＣＩ）の巡回冗長検査（ＣＲＣ）部分を符号化するようになされる。
【００４１】
或る例示の実施形態において、ノードプロセッサは、第一ワイヤレス端末装置に、Ｄ２Ｄ通信のために利用可能な、リソースグリッドのリソースブロックの数を指定するＤ２Ｄ帯域幅パラメータＮＤ２ＤＲＢを提供するようになされる。
【００４２】
さらなる別の態様において、本明細書で開示される技術は、レシーバ、プロセッサ、およびトランスミッタを含むワイヤレス端末装置に関する。該レシーバは、ワイヤレス端末装置が、別のワイヤレス端末装置との端末装置間（Ｄ２Ｄ）通信に使用を許可された無線リソースを指定する端末装置間（Ｄ２Ｄ）グラントを受信するように構成される。該トランスミッタは、Ｄ２Ｄグラントによって許可された無線リソースを使って別のワイヤレス端末装置に端末装置間（Ｄ２Ｄ）データを送信するように構成される。
【００４３】
或る例示の実施形態において、端末装置のプロセッサは、業界標準化物理チャネルの既存の業界標準化フィールド（群）中の端末装置間（Ｄ２Ｄ）グラントを受信し、この受信において、既存の業界標準化フィールド（群）中の値（群）が、端末装置間（Ｄ２Ｄ）グラントに関する情報と置き換えられる。
【００４４】
或る例示の実施形態において、この物理チャネルは、少なくとも一部のサブフレームがアップリンク通信のための無線リソースのグラント含む、ダウンリンク制御チャネルであるが、但し、選択されたサブフレームが端末装置間（Ｄ２Ｄ）グラントを代わりに含む。別の例示の実施形態において、この選択されたサブフレームに対する物理チャネルは、物理ダウンリンク共用チャネル（ＰＤＳＣＨ）であり、ＰＤＳＣＨの媒体アクセス制御（ＭＡＣ）制御要素は、リソースグリッドの何のリソースブロックが、端末装置間（Ｄ２Ｄ）通信のための無線リソースとして使用されるかを指定するように設定される。
【００４５】
或る例示の実施形態において、プロセッサは、選択されたサブフレームの物理ダウンリンク制御チャネル（ＰＤＣＣＨ）中の端末装置間（Ｄ２Ｄ）グラントを受信するよう構成される。
【００４６】
或る例示の実施形態において、トランスミッタは、第二ワイヤレス端末装置が端末装置間（Ｄ２Ｄ）通信に参加できるように、Ｄ２Ｄグラント情報を第二ワイヤレス端末装置に送信するようにさらに構成される。
【００４７】
或る例示の実施形態において、プロセッサは、選択されたサブフレームの物理ダウンリンク制御チャネル（ＰＤＣＣＨ）のダウンリンク制御情報（ＤＣＩ）からＤ２Ｄグラントを判断するように構成される。或る例示の実施形態において、Ｄ２Ｄグラントのコンテンツ以外の、ダウンリンク制御情報（ＤＣＩ）および物理ダウンリンク制御チャネル（ＰＤＣＣＨ）は、第三世代パートナープロジェクト（３ＧＰＰ）テクニカルスペシフィケーション３６．２１２バージョン１２．０．０に従ってフォーマットされる。
【００４８】
或る例示の実施形態において、プロセッサは、ダウンリンク制御情報（ＤＣＩ）のリソースブロック割り当てフィールドにおいて、リソースグリッドの何のリソースブロックを端末装置間（Ｄ２Ｄ）通信のための無線リソースとして使用されるかの指示を受信するように構成される。
【００４９】
プロセッサは、ＤＣＩのリソース配分型フィールドがリソース配分型０を示している場合、ダウンリンク制御情報（ＤＣＩ）のリソースブロック割り当てフィールドからリソース指示値（ＲＩＶ）を得るように構成される。リソース指示値（ＲＩＶ）は、開始リソースブロック、および連続して配分されるリソースブロックの期間の長さ（ＬＣＲＢ）に対応する。他方、リソース配分型フィールドがリソース配分型１を示している場合、プロセッサは、ダウンリンク制御情報（ＤＣＩ）のリソースブロック割り当てフィールドから、組み合わせインデックスｒを得るように構成され、このｒからＤ２Ｄ通信のため用いられるリソースブロックの二つのセットを判断することができる。
【００５０】
或る例示の実施形態において、プロセッサは、ダウンリンク制御情報（ＤＣＩ）の下記のフィールドの一つ以上から、時間ドメインスケジューリング情報を検出するように構成される：ＣＳＩ要求フィールド、ＳＲＳ要求フィールド、アップリンクインデックスフィールド、リソース配分フィールド、変調および符号化スキーム（ＭＳＣ）／冗長バージョン（ＲＶ）フィールド。
【００５１】
或る例示の実施形態において、プロセッサは、ダウンリンク制御情報（ＤＣＩ）の少なくとも一部から、Ｄ２Ｄグラントが第一ワイヤレス端末装置に向けられていることの指定を検出するように構成される。或る例示の実装において、プロセッサは、ワイヤレス端末装置のＤ２Ｄ無線ネットワーク一時アイデンティティ（ＲＮＴＩ）を使って符号化された、ダウンリンク制御情報（ＤＣＩ）の巡回冗長検査（ＣＲＣ）部分から、Ｄ２Ｄグラントが第一ワイヤレス端末装置に向けられていることを検出するように構成される。
【００５２】
或る例示の実施形態において、プロセッサは、Ｄ２Ｄ通信のために利用可能な、リソースグリッドのリソースブロックの数を指定するＤ２Ｄ帯域幅パラメータＮＤ２ＤＲＢを備えて構成される。
【００５３】
本明細書で開示される技術の前述のおよび他の目的、特徴、および利点は、添付の図面中に示された好適な諸実施形態の後述のより具体的な説明から明らかとなろう。図面中の参照符号は、各種図面全体を通して同じ部分を示す。これらの図面は、必ずしも縮尺比通りでなく、代わりに本明細書で開示される技術の原理を表すことに重点が置かれている。
【図面の簡単な説明】
【００５４】
【図１】無線アクセスノードが業界標準のチャネル中で端末装置間（Ｄ２Ｄ）グラントを提供している、無線通信ネットワークの或る例示の一般的実施形態の概略図である。
【００５５】
【図１Ａ】無線アクセスノードが、業界標準のＰＤＣＣＨ中で端末装置間（Ｄ２Ｄ）グラントを提供している、無線通信ネットワークの或る例示の一般的実施形態の概略図である。
【００５６】
【図１Ｂ】無線アクセスノードが、業界標準のＰＤＳＣＨ中で端末装置間（Ｄ２Ｄ）グラントを提供している、無線通信ネットワークの或る例示の一般的実施形態の概略図である。
【００５７】
【図２】図１Ａおよび／または図１Ｂおよび／または図９のネットワークに対し、端末装置間（Ｄ２Ｄ）グラントの提供に用いるのに適した例示のサブフレームの線図である。
【００５８】
【図３Ａ】端末装置間（Ｄ２Ｄ）グラントを提供するため、図１Ａおよび／または図１Ｂおよび／または図９の通信システムを作動させる、基本的、代表的方法に含まれる例示の動作またはステップを表すフローチャートである。
【図３Ｂ】端末装置間（Ｄ２Ｄ）グラントを提供するため、図１Ａおよび／または図１Ｂおよび／または図９の通信システムを作動させる、基本的、代表的方法に含まれる例示の動作またはステップを表すフローチャートである。
【００５９】
【図４】図３Ｂの方法を含む作動のシーケンスを示す線図である。
【００６０】
【図５Ａ】物理ダウンリンク制御チャネル（ＰＤＣＣＨ）および端末装置間（Ｄ２Ｄ）データを含むサブフレーム、の両方を含む例示のフレームを示す線図である。
【００６１】
【図５Ｂ】端末装置間（Ｄ２Ｄ）通信に対する別の例示のスケジューリング方策を示す線図である。
【００６２】
【図５Ｃ】或る例示の実施形態による、スケジューリング割り当てリソースおよびＤ２Ｄデータリソースの両方を含むＤ２Ｄリソースプールを示す線図である。
【００６３】
【図６】或る例示の実施形態およびモードによる、物理ダウンリンク制御チャネル（ＰＤＣＣＨ）のダウンリンク制御情報（ＤＣＩ）の中への端末装置間（Ｄ２Ｄ）グラント情報の挿入を示す線図である。
【００６４】
【図７】或る例示の実施形態およびモードによる、ネットワークノード、第一ワイヤレス端末装置、および第二ワイヤレス端末装置の間の、或る情報の送信を示す線図である。
【００６５】
【図８】Ｌ１／Ｌ２制御シグナリングの或る態様が、端末装置間（Ｄ２Ｄ）グラントが含まれる物理ダウンリンク制御チャネル（ＰＤＣＣＨ）に対する処理動作を含むための処理を示す線図である。
【００６６】
【図９】図１Ａの無線通信ネットワークの例示の実施形態をさらに詳細に示す概略図である。
【００６７】
【図１０】或る例示の実施形態による、ノードまたはワイヤレス端末装置を含むことが可能な電子機器の態様を示す概略図である。
【００６８】
【図１１】ネットワークの制御下にある一部のＤ２Ｄワイヤレス端末装置を含む、Ｄ２Ｄ対応ワイヤレス端末装置を示す線図である。
【発明を実施するための形態】
【００６９】
以降の記述において、限定でなく説明の目的で、本明細書で開示される技術の徹底的理解を提供するために、具体的なアーキテクチャ、インターフェース、技法などが示される。但し、当業者には当然のことながら、本明細書で開示される技術は、これらの具体的詳細から外れた他の実施形態においても実践することが可能である。すなわち、当業者は、本明細書には明示で記載または提示されていないが、本明細書で開示される技術の原理を具現化する様々な、だが本技術の趣旨および範囲内に含まれる取り合わせを考案することができよう。一部の例では、本明細書で開示される技術の説明を不必要な詳細によって不明瞭にしないために、周知のデバイス、回路、および方法の詳細な説明は省略されている。本明細書で開示される技術の原理、態様、および実施形態、並びにこれらの具体例を述べている本明細書中の全てのステートメントは、これらと構造上および機能上の両方の等価物を包含することが意図されている。さらに、かかる等価物は、現在知られている等価物はもとより、将来開発される等価物、すなわち、構造の如何にかかわらず同じ機能を実行する一切の開発要素を含むことが意図されている。
【００７０】
しかして、例えば、当業者には当然のことながら、本明細書中のブロック図は、本技術の原理を具現化する例示的な回路または他の機能ユニットの概念図を表し得る。同様に、当然のことながら、一切のフローチャート、状態移行図、疑似コードなどは、コンピュータ可読媒体中に実質的に表現され、コンピュータまたはプロセッサが明示で示されているかどうかにかかわらず、かかるコンピュータまたはプロセッサによって、そのように実行できる様々な処理を表している。
【００７１】
本明細書で用いる用語「端末装置間（「Ｄ２Ｄ」）通信）」は、一つのワイヤレス端末装置から別のワイヤレス端末装置への通信データトラフィックが、セル式ネットワークまたは他の電気通信システム中の集中型基地局または他のデバイスを通過しない、セル式ネットワークまたは他の電気通信システム上で作動するワイヤレス端末装置の間の通信のモードを称し得る。前に説明したように、端末装置間（Ｄ２Ｄ）通信は、最近の用語「サイドリンク直接通信」としても知られる。しかして、前述したように、端末装置間（Ｄ２Ｄ）通信は、基地局とワイヤレス端末装置との間の通信であるまたはこれが関与する「ＷＡＮ」または「セル方式通信」とは異なる。通信データには、通信信号を使って送信され、ワイヤレス端末装置のユーザによる使用が意図される音声通信またはデータ通信を含めることができる。通信信号は、第一ワイヤレス端末装置から、Ｄ２Ｄ通信を介して第二ワイヤレス端末装置に直接送信が可能である。様々な態様において、根柢のコアネットワークまたは基地局によって、Ｄ２Ｄパケット送信に関する制御信号の全て、一部、またはゼロを管理または生成することができる。追加のまたは代替の態様において、レシーバ側ユーザ装置端末装置は、トランスミッタ側ユーザ装置端末装置と一つ以上のさらなるレシーバ側ユーザ装置端末装置との間の通信データトラフィックを中継することも可能である。
【００７２】
本明細書で用いる用語「コアネットワーク」は、ユーザに電気通信システムのサービスを提供する電気通信ネットワーク中のデバイス、デバイスの群、またはサブシステムを称し得る。コアネットワークによって提供されるサービスの例は、集約、認証、回線交換、サービス呼び出し、他のネットワークへのゲートウェイなどを含む。
【００７３】
本明細書で用いる「ワイヤレス端末装置」は、（以下に限らないが）セル式ネットワークなどの電気通信システムを介して音声および／またはデータを通信するために使われる任意の電子デバイスを称し得る。ワイヤレス端末装置およびかかるデバイスの非限定な例を称するために用いられる他の用語は、ユーザ装置端末装置、ＵＥ、移動ステーション、携帯デバイス、アクセス端末、加入者ステーション、移動端末装置、リモートステーション、ユーザ端末装置、端末装置、加入者装置、セル式電話、スマートフォン、携帯情報端末（ＰＤＡ：ｐｅｒｓｏｎａｌ  ｄｉｇｉｔａｌ  ａｓｓｉｓｔａｎｔ）、ラップトップコンピュータ、ネットブック、ｅ−リーダ、ワイヤレスモデムなど含み得る。
【００７４】
本明細書で用いる用語「アクセスノード」、「ノード」、または「基地局」は、ワイヤレス通信を促進する、または、ワイヤレス端末装置と電気通信システムとの間のインターフェースを他の方法で提供する任意のデバイスまたはデバイスの群を称し得る。基地局の非限定の例には、３ＧＰＰスペシフィケーション中の、ノードＢ（「ＮＢ」：Ｎｏｄｅ  Ｂ）、拡張ノードＢ（「ｅＮＢ」：ｅｎｈａｎｃｅｄ  Ｎｏｄｅ  Ｂ）、ホームｅＮＢ（「ＨｅＮＢ」：ｈｏｍｅ  ｅＮＢ）またはいくつかの他の類似の技術を含めることができる。基地局の別の非限定の例には、アクセスポイントがある。アクセスポイントは、ワイヤレス端末装置に、（以下に限らないが）ローカル・エリア・ネットワーク（ＬＡＮ：Ｌｏｃａｌ  Ａｒｅａ  Ｎｅｔｗｏｒｋ）、広域ネットワーク（ＷＡＮ）、インターネットなどのデータネットワークへのアクセスを提供する電子デバイスであればよい。本明細書で開示するシステムおよび方法の一部の例は、所与の規格（例えば、３ＧＰＰリリース８、９、１０、１１、および／または１２）に関連付けて説明されることがあるが、本開示の範囲はこの点に関し限定されるべきものではない。本明細書で開示するシステムおよび方法の少なくとも一部の態様は、他の種類のワイヤレス通信システム中でも活用することができる。
【００７５】
本明細書で用いる用語「電気通信システム」または「通信システム」は、情報を送信するため使用されるデバイスの任意のネットワークを称し得る。電気通信システムの非限定の例には、セル式ネットワークまたは他のワイヤレス通信システムがある。
【００７６】
本明細書で用いる用語「セル式ネットワーク」は、各セルが、基地局など少なくとも一つの固定ロケーショントランシーバによってサービスされている、セル群に亘って分散されたネットワークを称し得る。「セル」は、国際移動電気通信改良型（ＩＭＴＡｄｖａｎｃｅｄ：Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）に使用するため標準化団体または規制当局によって規定された任意の通信チャネルであってよい。セルの全体またはサブセットは、ノードＢなどの基地局とＵＥ端末装置との間の通信に使用するため、認可された帯域（例えば周波数帯域）として、３ＧＰＰによって採用され得る。認可周波数帯域を用いるセル式ネットワークは構成されたセルを含み得る。構成されたセルは、ＵＥ端末装置が知っており、その中で端末装置が情報を送受信することを基地局に許されたセル群を含むことができる。
【００７７】
本明細書で用いる用語「Ｄ２Ｄ信号」または「Ｄ２Ｄ信号群」は、Ｄ２Ｄ通信および／または発見のためのチャネル、基準信号、および同期化信号を含む。
【００７８】
本明細書で開示される技術は、例えば、所与の端末装置間（Ｄ２Ｄ）送信用の送信リソースを配分するためのシステムおよび方法に関する。ネットワーク制御下にある場合、かかる配分は、「Ｄ２Ｄグラント」と称され、また「Ｄ２Ｄスケジューリング割り当て」とも言われることになろう。Ｄ２Ｄオペレーションのモードは、モード１（スケジュール型）およびモード２（自律型）を含む。以降の説明では主にモード１を記述するが、モード１の態様は、モード２にも同様に適用が可能である。モード２の適用性は、モード２では、受信側ワイヤレス端末装置は、それらがスケジュール割り当てを連絡されるときにネットワークの制御下にないという事実に起因して、シグナリング手法の直截な変更を含む。
【００７９】
図１は、無線アクセスノード２２が空中または無線インターフェース２４を介し、第一ワイヤレス端末装置２６１と通信している、例示の通信システム２０を示す。ノード２２は、ノードプロセッサ３０およびノードトランスミッタ３２を含む。第一ワイヤレス端末装置２６１は、端末装置プロセッサ４０および端末装置トランシーバ４２を含む。端末装置トランシーバ４２は、通常、端末装置トランスミッタ部４４および端末装置レシーバ部４６を含む。端末装置トランスミッタ部４４は、端末装置トランスミッタ回路を含んでよく、「送信器」として知られ得ていて、端末装置レシーバ部４６は端末装置レシーバ回路を含んでよく、「受信器」として知られ得ている。
【００８０】
一般的動作において、ノード２２および第一ワイヤレス端末装置２６１は、通常、ノード２２のスケジューラによってフォーマットされ作成される情報の「フレーム」を用いて、無線インターフェース２４を通して相互に通信する。長期的な進化仕様（ＬＴＥ）では、フレームは、ダウンリンク部分（群）およびアップリンク部分（群）の両方を有することが可能で、基地局とワイヤレス端末装置との間で通信される。各ＬＴＥフレームは、複数のサブフレームを含み得る。例えば、時間ドメインにおいて１０ｍｓのフレームは、１０個の一ミリ秒サブフレームから成る。例示の実装による、代表的なサブフレームＳのサンプルの表現が、図２に示されている。時間ドメインにおいて、各ＬＴＥサブフレームは、２つのスロットに（しかして一フレーム中に２０のスロットがあるように）分割される。各スロット中で送信される信号は、リソース要素（ＲＥ：ｒｅｓｏｕｒｃｅ  ｅｌｅｍｅｎｔ）で構成されるリソースグリッドによって表される。図２の二次元のグリッドの各列は、記号（例えば、ノードからワイヤレス端末装置へのダウンリンク（ＤＬ：ｄｏｗｎｌｉｎｋ）上のＯＦＤＭ記号、ワイヤレス端末装置からノードへのアップリンク（ＵＬ：ｕｐｌｉｎｋ）中のＳＣ−ＦＤＭＡ記号）を表す。図２のグリッドの各行は副搬送波を表す。リソース要素（ＲＥ）はサブフレームＳ中のダウンリンク送信に対する最小の時間−周波数ユニットである。すなわち、サブフレーム中の一つの副搬送波上の一つの記号が、リソース要素（ＲＥ）を含み、該要素は、スロット中のインデックスペア（ｋ，ｌ）によって一意的に定義される（前述のｋおよびｌは、それぞれ、周波数および時間ドメインにおけるインデックスである）。言い換えれば、一つの副搬送波上の一つ記号がリソース要素（ＲＥ）である。各記号は、チャネルの帯域幅および構成の如何により、周波数ドメイン中にいくつかの副搬送波を含む。現今の標準によってサポートされる最小の時間−周波数リソースは、複数の副搬送波と複数の記号とのセット（例えば、複数のリソース要素（ＲＥ））であり、リソースブロック（ＲＢ：ｒｅｓｏｕｒｃｅ  ｂｌｏｃｋ）と呼ばれる。リソースブロックは、例えば、通常のサイクリックプレフィックスの場合、８４リソース要素、すなわち、１２の副搬送波および７の記号を含み得る。
【００８１】
図２のフレームおよびサブフレーム構造体は、無線またはエアインターフェースを介して送信されることになる情報のフォーマット設定の技法の一例としての役割を果たすだけのものである。当然のことながら、「フレーム」および「サブフレーム」は、別途に（例えば、図２のコンポーネントへの具体的参照によって）述べられている場合を除き、図２の具体的表現により限定されるものではない。それどころか、「フレーム」および「サブフレーム」は、情報フォーマット設定の他のユニットと交換可能に用いることが可能で、それらに含まれ得、または実現され得、しかして（例えば、ブロックなどの）他の用語を包含し得る。
【００８２】
長期的な進化仕様（ＬＴＥ）は、媒体アクセス制御（ＭＡＣ）およびより高次の層から受信された情報を搬送するダウンリンク物理チャネルの数を定義している。トランスポートチャネルには、放送チャネル（群）（ＢＣＨ：Ｂｒｏａｄｃａｓｔ  Ｃｈａｎｎｅｌ）、ダウンリンク共用チャネル（群）（（ＤＬ−ＳＣＨ：Ｄｏｗｎｌｉｎｋ  Ｓｈａｒｅｄ  Ｃｈａｎｎｅｌ）、ページングチャネル（ＰＣＨ：Ｐａｇｉｎｇ  Ｃｈａｎｎｅｌ）、アップリンク共用チャネル（群）（ＵＬ−ＳＣＨ：Ｕｐｌｉｎｋ  Ｓｈａｒｅｄ  Ｃｈａｎｎｅｌ）、ランダムアクセスチャネル（群）（ＲＡＣＨ：Ｒａｎｄｏｍ  Ａｃｃｅｓｓ  Ｃｈａｎｎｅｌ）、およびマルチキャストチャネル（群）（ＭＣＨ：Ｍｕｌｔｉｃａｓｔ  Ｃｈａｎｎｅｌ）がある。ＬＴＥ中のダウンリンクのために定義された物理層チャネルには、物理放送チャネル（ＰＢＣＨ：Ｐｈｙｓｉｃａｌ  Ｂｒｏａｄｃａｓｔ  Ｃｈａｎｎｅｌ）、物理ダウンリンク制御チャネル（ＰＤＣＣＨ）、物理制御フォーマットインディケータチャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、物理ハイブリッドＡＲＱインディケータチャネル（ＰＨＩＣＨ：Ｐｈｙｓｉｃａｌ  Ｈｙｂｒｉｄ  ＡＲＱ  Ｉｎｄｉｃａｔｏｒ  Ｃｈａｎｎｅｌ）、中継物理ダウンリンク制御チャネル（Ｒ−ＤＰＣＣＨ：Ｒｅｌａｙ  Ｐｈｙｓｉｃａｌ  Ｄｏｗｎｌｉｎｋ  Ｃｏｎｔｒｏｌ  Ｃｈａｎｎｅｌ）、物理ダウンリンク共用チャネル（ＰＤＳＣＨ）、および物理マルチキャストチャネル（ＰＭＣＨ：Ｐｈｙｓｉｃａｌ  Ｍｕｌｔｉｃａｓｔ  Ｃｈａｎｎｅｌ）がある。ＬＴＥ中のアップリンクのために定義された物理層チャネルには、物理アップリンク共用チャネル（ＰＵＳＣＨ：Ｐｈｙｓｉｃａｌ  Ｕｐｌｉｎｋ  Ｓｈａｒｅｄ  Ｃｈａｎｎｅｌ）、物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）、および物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）がある。
【００８３】
長期的な進化仕様（ＬＴＥ）では、専用のデータチャネルは使われず、代わりに、ダウンリンクおよびアップリンクの両方において共用チャネルリソースが使われる。例えば、物理ダウンリンク共用チャネル（ＰＤＳＣＨ）は、ユニキャストデータ送信に使われる主な物理チャネルであり、またページング情報の送信にも使われる。これらの共用リソースは、ダウンリンクおよびアップリンク共用チャネルの異なる部分を、受信および送信のため、それぞれ、異なるワイヤレス端末装置に割り当てる一つ以上のスケジューラによって制御される。共用チャネルに対するこれらの割り当ては、各ダウンリンクサブフレームの開始部に設けられている制御域中で送信される。制御域（ＣＲ：ｃｏｎｔｒｏｌ  ｒｅｇｉｏｎ）は、物理ダウンリンク制御チャネル（ＰＤＣＣＨ）を含む前述のダウンリンク制御チャネルを含む。制御域は、通常、サブフレーム中の最初の一つ、二つ、または三つのＯＦＤＭ記号を占有し、通常、システムの帯域幅全体に亘って延びる。
【００８４】
前述した制御チャネルのうち、ＰＤＣＣＨは、通常、ダウンリンク制御情報（ＤＣＩ）メッセージ中に包含された、ワイヤレス端末装置に対するリソース割り当てを搬送する。各々が、リソース要素グループ（ＲＥＧ：Ｒｅｓｏｕｒｃｅ  Ｅｌｅｍｅｎｔ  Ｇｒｏｕｐ）として知られる４つのリソース要素の九つのセットである、制御チャネル要素（ＣＣＥ：Ｃｏｎｔｒｏｌ  Ｃｈａｎｎｅｌ  Ｅｌｅｍｅｎｔｓ）を用い、複数のＰＤＣＣＨを同一のサブフレームで送信することができる。
【００８５】
ワイヤレス端末装置がノード２２へのアップリンクで情報を送信したいと所望する場合、そのワイヤレス端末装置は、ノード２２にスケジューリング要求と、その後にバッファ状態レポートとを送信し、ノード２２は、該レポートから、ワイヤレス端末装置がアップリンク送信を実行しようと意図していることを判断することが可能である。それに続いて、ノード２２は、ダウンリンク（ＤＬ）中の物理ダウンリンク制御チャネル（ＰＤＣＣＨ）で、ワイヤレス端末装置がその所望のアップリンク送信のためにどの無線リソースを使用してよいかを示し、例えば、ノード２２はアップリンク送信に対するアップリンクグラントを与える。
【００８６】
前述したように、一部の例において、ワイヤレス端末装置は、ノード２２を介して送信されるこれらの通信を行わずに、相互に通信することができる。かかる端末装置と端末装置との通信は、端末装置間（Ｄ２Ｄ）通信とも呼ばれ、または最近では、サイドリンク直接通信とも呼ばれる。時によって、端末装置間（Ｄ２Ｄ）通信は、ネットワークの制御下または「カバレッジ内」であってもよい。すなわち、端末装置間（Ｄ２Ｄ）通信に関与する一つ以上のワイヤレス端末装置が、無線アクセスネットワーク（ＲＡＮ：ｒａｄｉｏ  ａｃｃｅｓｓ  ｎｅｔｗｏｒｋ）のノードまたはセルによって用いられている無線周波数の範囲内にいてもよい。
【００８７】
かかるカバレッジ内端末装置間（Ｄ２Ｄ）通信の環境において、ワイヤレス端末装置は、例えばノード２２などのネットワークにスケジュールされる無線リソースを使用する。他方、一部の環境では、参加するワイヤレス端末装置の一方または両方がカバレッジの外にいて端末装置間（Ｄ２Ｄ）通信が行われる。通常、一切の端末装置間（Ｄ２Ｄ）通信の前に、或る特定のワイヤレス端末装置が使ってよいＤ２Ｄデータリソース（群）は、ネットワークによって発行されたＤ２Ｄグラントによって動的に割り当てられる。通常、或る特定のワイヤレス端末装置が使ってよいＤ２Ｄデータリソース（群）は、一切の端末装置間（Ｄ２Ｄ）通信の前に、ワイヤレス端末装置により前もって構成された、またはネットワークによって前もって割り当てられたＤ２Ｄデータリソースプールから、ランダムに選択される。受信側ワイヤレス端末装置が、送信側ワイヤレス端末装置が該受信側ワイヤレス端末装置に、どのような無線リソースで端末装置間（Ｄ２Ｄ）信号を送信してくるかを知ることを可能にするために必要な情報は、本明細書ではスケジューリング割り当てなどの用語によって表される。スケジューリング割り当てのための送信リソース（群）は、本明細書ではスケジューリング割り当てリソース（群）などの用語によって表される。通常、或る特定のワイヤレス端末装置が使ってよいスケジューリング割り当てリソース（群）は、構成済みのスケジューリング割り当てリソースプールから、ネットワークによって動的に無線端末装置に割り当てられる。通常、特定のワイヤレス端末装置が使ってよいスケジューリング割り当てリソース（群）は、一切のＳＡ送信の前に、ワイヤレス端末装置に前もって構成された、またはネットワークによって該ワイヤレス端末装置に前もって割り当てられたＳＡリソースプールからランダムに選択される。受信側ワイヤレス端末装置は、スケジューリング割り当てを復号するために、かかるＳＡリソースプールを絶え間なく監視する。しかして、端末装置間（Ｄ２Ｄ）通信に使うことの可能なリソースは、スケジューリング割り当てリソースおよびＤ２Ｄデータリソースである。スケジューリング割り当てリソースプールおよびＤ２Ｄデータリソースプールは、図５Ｃに示されるように、本明細書ではＤ２Ｄリソースプールとして識別されるリソースのより大きなセットから分配される。また、図５Ｃは、図５Ａおよび図５Ｂ中のリソース使用に対するキーを提供し、これらについては後記で説明する。
【００８８】
「カバレッジ内」の場合、端末装置間（Ｄ２Ｄ）通信の無線リソースの使用が、例えば、ノード２２とノード２２によってサービスされているワイヤレス端末装置群との間の通信など、セル中で進行中の他の種類の通信への干渉をもたらすことがないように注意しなければならない。Ｄ２Ｄ通信では、アップリンク搬送波は、周波数分割二重（ＦＤＤ：ｆｒｅｑｕｅｎｃｙ  ｄｉｖｉｓｉｏｎ  ｄｕｐｌｅｘ）ネットワークに対して使用され、アップリンクサブフレームは、時分割二重（ＴＤＤ：ｔｉｍｅ  ｄｉｖｉｓｉｏｎ  ｄｕｐｌｅｘ）ネットワークに対して使用される。Ｄ２Ｄ通信では、Ｄ２Ｄ信号は、ワイヤレス端末装置から別のワイヤレス端末装置（群）に送信される。Ｄ２Ｄ信号は、物理Ｄ２Ｄデータチャネル（ＰＤ２ＤＤＣＨ：Ｐｈｙｓｉｃａｌ  Ｄ２Ｄ  Ｄａｔａ  Ｃｈａｎｎｅｌ）、物理アップリンク共用チャネル（ＰＵＳＣＨ）、物理アップリンク制御チャネル（ＰＵＣＣＨ）、および基準信号を含む。Ｄ２Ｄ通信は、ＰＤ２ＤＣＤＣＨを使うことができる。ＰＤ２ＤＤＣＨは、ＰＵＳＣＨと類似の構成とすればよい。あるいは、Ｄ２Ｄ通信にはＰＵＳＣＨを使ってもよい。
【００８９】
本明細書で開示される技術は、端末装置間（Ｄ２Ｄ）通信に対し、特に、端末装置間（Ｄ２Ｄ）通信に参加している送信側ワイヤレス端末装置（例えば第一ワイヤレス端末装置２６１）が、例えば、無線アクセスネットワーク（ＲＡＮ）の基地局にサービスされているなどＲＲＣ接続状態にあるときに、使用するための無線リソースのスケジューリングのための技法を提供する。端末装置間（Ｄ２Ｄ）通信に参加している受信側ワイヤレス端末装置（例えば第二ワイヤレス端末装置２６２）は、ＲＲＣアイドル状態であってもＲＲＣ接続状態であってもよい。本明細書で説明するように、ノード２２のノードプロセッサ３０は、端末装置間（Ｄ２Ｄ）グラントを構成する。例えば図１の矢印線Ｇで示されるように、ノードプロセッサ３０は、端末装置間（Ｄ２Ｄ）グラント５４を含めるため、選択されたサブフレームＳの業界標準チャネル５０’を構成する。本明細書で開示される技術の端末装置間（Ｄ２Ｄ）グラント５４は、このようにチャネル５０’中に位置付けられ、第一ワイヤレス端末装置２６１が、例えば第二ワイヤレス端末装置２６２などの第二ワイヤレス端末装置との端末装置間（Ｄ２Ｄ）通信に使用を許可された無線リソースを指定する。
【００９０】
端末装置間（Ｄ２Ｄ）グラント５４を搬送するチャネルは、いくつかの例において、だが諸実施形態およびモードを排他することなく、業界標準チャネルとすることができる。本明細書で用いる「業界標準チャネル」とは業界規格に記載された任意のチャネルである。本明細書で用いる「業界規格」とは、印刷されているか電子化されているかを問わず、第三世代パートナーシッププロジェクト（３ＧＰＰ）などの標準化団体によって、現在または今後採択される任意の文書を指す。３ＧＰＰ規格文書に記載されているチャネルは、業界標準チャネルの非排他的な例である。
【００９１】
本明細書での使用および以降の例示の方法において、業界物理チャネル中に端末装置間（Ｄ２Ｄ）グラントを「含めること」は、業界標準チャネルの既存の業界標準化フィールド（群）中の値（群）を、端末装置間（Ｄ２Ｄ）グラントに関する情報で置き換えることを含み得る。
【００９２】
いくつかの例示の実施形態およびモードにおいて、物理チャネルは、少なくとも一部のサブフレームに、アップリンク通信のための無線リソースのグラントを含むダウンリンク制御チャネルであるが、但し、選択されたサブフレームが端末装置間（Ｄ２Ｄ）グラントを代わりに含む。図１Ａによって表された一つの例示の実施形態およびモードにおいて、端末装置間（Ｄ２Ｄ）グラント５４を含むチャネルには、ダウンリンク（ＤＬ）サブフレームＳの制御域５２に配置された物理ダウンリンク制御チャネル（ＰＤＣＣＨ）５０’が含まれる。本明細書で用いる用語「物理ダウンリンク制御チャネル（ＰＤＣＣＨ）」には、拡張物理ダウンリンク制御チャネル（ＥＰＤＣＣＨ：Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）が含まれてよい。ＰＤＣＣＨの代わりに、ＥＰＤＣＣＨは、各々が、拡張リソース要素グループ（ＥＲＥＧ：Ｅｎｈａｎｃｅｄ  Ｒｅｓｏｕｒｃｅ  Ｅｌｅｍｅｎｔ  Ｇｒｏｕｐ）として知られる、ＰＤＳＣＨ領域にマップされた四つのリソース要素の九つのセットである、拡張制御チャネル要素（ＥＣＣＥ：Ｅｎｈａｎｃｅｄ  Ｃｏｎｔｒｏｌ  Ｃｈａｎｎｅｌ  Ｅｌｅｍｅｎｔ）を用いて、同じサブフレーム中で送信することができる。物理ダウンリンク制御チャネル（ＰＤＣＣＨ）５０’は、実際は、他のワイヤレス端末装置に対するＰＤＣＣＨも併設されている、図示されていない物理ダウンリンク制御チャネル（ＰＤＣＣＨ）領域の中に常駐させることが可能である。本明細書で開示される技術の端末装置間（Ｄ２Ｄ）グラント５４は、このように物理ダウンリンク制御チャネル（ＰＤＣＣＨ）５０’中に位置し、第一ワイヤレス端末装置２６１が、例えば第二ワイヤレス端末装置２６２などの第二ワイヤレス端末装置との端末装置間（Ｄ２Ｄ）通信に使用を許可された無線リソースを指定する。
【００９３】
図１Ｂによって表された、他の例示の実施形態およびモードにおいて、業界標準チャネルはダウンリンク共用チャネル（ＰＤＳＣＨ）５０”である。図１Ｂの例示の実施形態およびモードに対し、ノードプロセッサ３０は、リソースグリッドの何のリソースブロックが、端末装置間（Ｄ２Ｄ）通信の無線リソースとして使用されるかを指定するため、ＰＤＳＣＨの一つ以上の媒体アクセス制御（ＭＡＣ）制御要素５５を設定するようになされる。
【００９４】
図３Ａは、図１Ａ（以降で説明する図９も含む）および図１Ｂの通信システム２０を作動させる例示の方法中に含まれる例示の動作またはステップを示す。動作３Ａ−１は、ノードプロセッサ３０が、端末装置間（Ｄ２Ｄ）グラントを含めるためのチャネルを構成するステップを含む。このチャネルは、図示のサブフレームＳなどのサブフレームのチャネルであってよい。動作３Ａ−２（図１Ａおよび図１Ｂ中の矢印線としても示されている）は、ノードトランスミッタ３２が、無線インターフェース２４を介し、第一ワイヤレス端末装置２６１に端末装置間（Ｄ２Ｄ）グラント５４を送信するステップを含む。このグラントは、例えば、サブフレームＳ中で送信されてもよい。動作３Ａ−３は、第一ワイヤレス端末装置２６１が、端末装置間（Ｄ２Ｄ）グラント５４によって許可された無線リソースを使って、第二ワイヤレス端末装置２６２に端末装置間（Ｄ２Ｄ）通信を送信するステップを含む。また、図１Ａ、図１Ｂ、および図９は、対比可能に番号付けられた矢印線によっても動作３Ａ−３を表す。通常、必ずしも排他的にではないが、この端末装置間（Ｄ２Ｄ）通信は、おそらくは、たとえ第一ワイヤレス端末装置２６１から複数のワイヤレス端末装置への同報通信に第二ワイヤレス端末装置２６２が含まれている場合にあっても、第一ワイヤレス端末装置２６１から少なくとも第二ワイヤレス端末装置２６２への単方向性送信を含み得る。
【００９５】
いくつかの例において、第二ワイヤレス端末装置２６２も、カバレッジ内にあり得て、ノード２２からまたは別途に、第一ワイヤレス端末装置２６１がどのような無線リソースで第二ワイヤレス端末装置２６２に端末装置間（Ｄ２Ｄ）通信信号（すなわち、Ｄ２Ｄ通信）を送信してくるかを、第二ワイヤレス端末装置２６２が知ることができるために必要な情報を得ることが可能であり得る。しかし通常は、端末装置間（Ｄ２Ｄ）グラント５４は、第一ワイヤレス端末装置２６１だけに宛てられ、または第二ワイヤレス端末装置２６２がカバレッジ外にあることさえあり、結果として、第二ワイヤレス端末装置２６２は、別の方法で端末装置間（Ｄ２Ｄ）グラント５４の連絡を受けなければならない。このため、図３Ｂの別形の方法は、さらなる動作３Ｂ−３を示し、該動作は、第一ワイヤレス端末装置２６１が、第二ワイヤレス端末装置が端末装置間（Ｄ２Ｄ）通信に参加できるように、第二ワイヤレス端末装置に特定のＤ２Ｄグラント情報（例えば、スケジューリング割り当て情報）を送信するステップを含む。
【００９６】
いくつかの例示の実装において、スケジューリング割り当て（ＳＡ）情報は、動作３Ｂ−３が、第一ワイヤレス端末装置２６１が端末装置間（Ｄ２Ｄ）グラント５４を第二ワイヤレス端末装置２６２に転送または中継するステップを基本的に含むように、端末装置間（Ｄ２Ｄ）グラント５４自体を実際に含むことが可能である。さらなる他の例示の実装において、第一ワイヤレス端末装置２６１は、第二ワイヤレス端末装置２６２がより適切にまたは容易に理解でき、だが当初の端末装置間（Ｄ２Ｄ）グラント５４と整合する、それ自体の修正された端末装置間（Ｄ２Ｄ）グラント５４’を含むスケジューリング割り当て（ＳＡ）情報を発行することができる。例えば、本明細書で説明するように、Ｄ２Ｄグラント中に含まれる情報の一部は、受信先ワイヤレス端末装置（群）のアドレスまたはアイデンティティによって符号化される必要があり得る。かかる別形の方法の動作３Ｂ−３は、動作３Ａ−３の前に行われる。
【００９７】
図３Ｂの方法は、図４中に同様にも示されている。図４は、第一ワイヤレス端末装置２６１が、グラント担持サブフレームＳＧ中の無線インターフェース２４を通して、端末装置間（Ｄ２Ｄ）グラント５４または、上記（動作３Ｂ−３）で説明したように修正された端末装置間（Ｄ２Ｄ）グラント５４’を含むＤ２Ｄ信号を最初に送信するステップを具体的に示す。グラント担持サブフレームＳＧの送信の後、動作３Ａ−３として、第一ワイヤレス端末装置２６１は別のサブフレームＳＸ中でＤ２Ｄ信号を送信する。グラント担持サブフレームＳＧによって通知される、端末装置間（Ｄ２Ｄ）通信に配分されたサブフレームＳＸの無線リソース中で、サブフレームＳＸは、第一ワイヤレス端末装置２６１から、第二ワイヤレス端末装置２６２へのそして場合によっては同じく他のワイヤレス端末装置への、端末装置間（Ｄ２Ｄ）送信または同報通信のコンテンツである端末装置間（Ｄ２Ｄ）データ５６を担持または搬送する。なお、簡明化のため、サブフレームＳＸは、端末装置間（Ｄ２Ｄ）データ５６だけを含んで示されている。
【００９８】
さらに、一つ以上の端末装置間（Ｄ２Ｄ）グラント５４による指示によって、フレームの複数のサブフレームが端末装置間（Ｄ２Ｄ）データを担持し、グラントは一つのグラント担持サブフレームＳＧ中に含めることが可能なことを理解すべきである。例えば、図５Ａについて、当然のことながら、フレームＦのサブフレームＳｉ、Ｓｊ、Ｓｋなど他のサブフレームも、端末装置間（Ｄ２Ｄ）通信のために配分することが可能である。図５Ａは、制御域５２のＰＤＣＣＨ領域中に所在する、第二ワイヤレス端末装置２６２に対する物理ダウンリンク制御チャネル（ＰＤＣＣＨ）５０’を示すためのものである。図５Ａは、端末装置間（Ｄ２Ｄ）データが、物理ダウンリンク制御チャネル（ＰＤＣＣＨ）５０’中に含まれた端末装置間（Ｄ２Ｄ）グラントに従い、フレームＦの他のサブフレームＳｉ、Ｓｊ、Ｓｋ中で送信される、または少なくともこれらに配分されたリソースであることをさらに示す。スケジューリング割り当てリソースおよびＤ２Ｄデータリソースの両方は、構成された単一のリソースプールを共用することが可能である。スケジューリング割り当てリソースおよびＤ２Ｄデータリソースの各々は、別々に構成されたリソースプール（例えば、スケジューリング割り当てプールおよびＤ２Ｄデータリソースプール）中にマップされてよい。スケジューリング割り当て送信サブフレームｎは、暗黙裡に決めることが可能で、ＰＤＣＣＨサブフレームはｎ−ｋであり、ＦＤＤに対してｋは４、ＴＤＤに対してｋは他の値である。
【００９９】
図５Ｂは、端末装置間（Ｄ２Ｄ）通信に対する別の例示のスケジューリング方策を示す。図５Ｂにおいて、スケジューリング割り当てプールは、同報通信システム情報によってシグナリングの可能な、オフセットＮＳＡを用いて構成される。ＮＳＡは、専用の無線リソース制御シグナリングによってシグナリングされてもよい。ＮＳＡは、リソースブロックインデックス０からのオフセットの値である。通常、ＰＵＣＣＨ領域はアップリンクサブフレームの両端部に配置される。ＮＳＡは、スケジューリング割り当て（ＳＡ）プールの開始位置を指定することができる。このオフセットは、ＰＵＣＣＨとの衝突を回避するために役立ち得る。ワイヤレス端末装置に対するスケジューリング割り当て送信リソースは、ＮＳＡとワイヤレス端末装置のためのＤ２Ｄグラントに対するＰＤＣＣＨの第一ＣＣＥのインデックスとに基づいて判断することができる。これに換えて、Ｄ２Ｄグラントに対するダウンリンク制御情報（ＤＣＩ）が、スケジューリング割り当て送信リソースに対する調整情報を提供することも可能であり、該情報はＣＣＥのインデックスと同様に使用すればよい。ワイヤレス端末装置に対するスケジューリング割り当て送信リソースは、ＮＳＡと、該ワイヤレス端末装置に対しＤ２Ｄグラントによって与えられた調整情報と、に基づいて決めることも可能である。第一スロットと第二スロットとの間に周波数ホッピングを適用することができる。第二スロットリソースは、第一スロットリソースに基づいて自動的に決まる。両端部に対するスケジューリング割り当て送信リソースプールは、ＮＳＡ、ＮＳＡ’の単一値によって配置され、他方端部の開始位置は、ＮＵＬＲＢ−ＮＳＡにより計算すればよく、この他方端部のリソースは反対方向にある。
【０１００】
図１Ａによって基本的に示される例示の実施形態において、ノードプロセッサ３０は、サブフレームの物理ダウンリンク制御チャネル（ＰＤＣＣＨ）５０’のダウンリンク制御情報（ＤＣＩ）（フォーマット０）を端末装置間（Ｄ２Ｄ）グラント５４を含んで構成するようになされる。一般に、ＤＣＩは、ダウンリンク（ＤＬ）またはアップリンク（ＵＬ）スケジューリング情報を伝送し、非周期的チャネル品質表示（ＣＱＩ：ｃｈａｎｎｅｌ  ｑｕａｌｉｔｙ  ｉｎｄｉｃａｔｉｏｎ）レポートに対する要求を伝送し、一つのセルおよび一つのＲＮＴＩに対するＭＣＣＨ変更またはアップリンク電力制御コマンドの通知を伝送する。以降に説明するように、ＲＮＴＩは、暗黙裡に巡回冗長検査（ＣＲＣ）フィールド中に符号化される。
【０１０１】
図６は、様々なフィールド含むダウンリンク制御情報（ＤＣＩ）６０を図式的に示し、これらフィールドの全ては、第三世代パートナープロジェクト（３ＧＰＰ）テクニカルスペシフィケーション３６．２１２バージョン１２．０．０「第三世代パートナーシッププロジェクト；テクニカルスペシフィケーショングループ無線アクセスネットワーク；進化型ユニバーサル地上無線アクセス（Ｅ−ＵＴＲＡ）；多重化およびチャネル符号化（Ｍｕｌｔｉｐｌｅｘｉｎｇ  ａｎｄ  ｃｈａｎｎｅｌ  ｃｏｄｉｎｇ）（リリース１２）（２０１３年１２月）」から理解される。３ＧＰＰテクニカルスペシフィケーション３６．２１２バージョン１２．０．０の５．３．３．１項以下を参照されたい。一つのアップリンク（ＵＬ）セル中のＰＵＳＣＨのスケジューリングのためにＤＣＩフォーマット０が使用される。
【０１０２】
２つのリソース割り当てスキーム型０および型１は、アップリンクＤＣＩフォーマットを備えたＰＤＣＣＨ／ＥＰＤＣＣＨに対応している。リソース配分型のビットがアップリンクＤＣＩフォーマット中に存在しない場合、リソース配分型０だけが対応する。リソース配分型のビットがアップリンクＤＣＩフォーマット中に存在する場合、復号されたＰＤＣＣＨ／ＥＰＤＣＣＨに対する選択されたリソース配分型がリソース配分型ビットによって示され、型０は０値で表示され、型１はそれ以外によって示される。ワイヤレス端末装置は、検出されたアップリンクＤＣＩフォーマットを有するＰＤＣＣＨ／ＥＰＤＣＣＨ中のリソース配分型ビットに基づいて、リソース配分フィールドを解釈するものとする。
【０１０３】
図６中に示されたダウンリンク制御情報（ＤＣＩ）６０のフィールドは、以下のように表１にリストされる。
【０１０４】
【表１】
0006755181.tif 000002
【０１０５】
或る例示の実施形態において、ノードプロセッサ３０は、リソースグリッドの何のリソースブロックが端末装置間（Ｄ２Ｄ）通信のための無線リソースとして使用されるかを指定するために、ダウンリンク制御情報（ＤＣＩ）６０のリソースブロック割り当てフィールド６４を設定するようになされる。ＤＣＩのリソース配分型フィールド７３が、図６の矢印線７６で示されているように、リソース配分型０を示しているとき、ノードプロセッサ３０は、リソース指示値（ＲＩＶ）を含めるように、ダウンリンク制御情報（ＤＣＩ）６０のリソースブロック割り当てフィールド６４を設定する。他方、ＤＣＩのリソース配分型フィールド７３が、図６の矢印線７７で示されているように、リソース配分型１を示しているとき、ノードプロセッサ３０は、Ｄ２Ｄ通信のために用いるリソースブロックの二つのセットを決めることを可能にする組み合わせインデックスｒを含めるように、ダウンリンク制御情報（ＤＣＩ）６０のリソースブロック割り当てフィールド６４を設定する。
【０１０６】
用語リソース指示値（ＲＩＶ）、切れ目なく配分されるリソースブロック（ＬＣＲＢ）、および組み合わせインデックスｒは、３ＧＰＰテクニカルスペシフィケーション３６．２１３バージョン１２．０．０「第三世代パートナーシッププロジェクト；テクニカルスペシフィケーショングループ無線アクセスネットワーク；進化型ユニバーサル地上無線アクセス（Ｅ−ＵＴＲＡ）；物理層プロシージャ（リリース１２）（２０１３年１２月）」から理解される。
【０１０７】
前述したように、ＤＣＩ６０のリソース配分型フィールド７３がリソース配分型０を示しているとき、リソースブロック割り当てフィールド６４はリソース指示値（ＲＩＶ）を含む。リソース指示値（ＲＩＶ）は、開始リソースブロックおよび切れ目なく配分されるリソースブロックの期間の長さ（ＬＣＲＢ）に対応する。さらに詳しくは、３ＧＰＰテクニカルスペシフィケーション３６．２１３バージョン１２．０．０の８．１．１項に述べられるように：
アップリンクリソース配分型０に対するリソース割り当て情報は、スケジュールされるＵＥに対し、切れ目なく配分される仮想リソースブロックのセットの、ｎＶＲＢで表されるインデックスを示す。スケジューリンググラント中のリソース配分フィールドは、開始リソースブロック（ＲＢＳＴＡＲＴ）および切れ目なく配分されるリソースブロックの期間の長さ（ＬＣＲＢ≧１）に対応するリソース指示値（ＲＩＶ）から成る。リソースの指示値は、下記式によって定義される。
【数１】
0006755181.tif 000003
【０１０８】
前述したように、ＤＣＩ６０のリソース配分型フィールド７３がリソース配分型１を示しているとき、リソースブロック割り当てフィールド６４は、Ｄ２Ｄ通信のために用いるリソースブロックの二つのセットを決めることを可能にする組み合わせインデックスｒを含む。さらに詳しくは、３ＧＰＰテクニカルスペシフィケーション３６．２１３バージョン１２．０．０の８．１．２項に述べられるように：
アップリンクリソース配分型１に対するリソース割り当て情報は、スケジュールされるＵＥに対し、各セットが、ＮＵＬＲＢをシステムの帯域幅と仮定して表７．１．６．１−１に与えられるような、切れ目のないリソースブロックの一つ以上のサイズＰの群を含む、リソースブロックの二つのセットを示す。組み合わせインデックスｒは、
【数２】
0006755181.tif 000004
ビットから成る。スケジューリンググラント中のリソース配分フィールドのビットはｒを表すが、但し、スケジューリンググラント中のリソース配分フィールドの中のビットの数が以下に該当する場合を除く、：
−  ｒ全体を表すために必要な数より小さい。この場合、スケジューリンググラント中のリソース配分フィールドの中のビットは、ｒのＬＳＢを占有し、ｒの残余のビットの値は０であると想定するものとする；または
−  ｒ全体を表すために必要な数より大きい。この場合、ｒは、スケジューリンググラント中のリソース配分フィールドのＬＳＢを占有する。
組み合わせインデックスｒは、リソースブロックセット１およびリソースブロックセット２それぞれの、開始および終了ＲＢＧインデックス、ｓ０およびｓ１−１と、ｓ２およびｓ３−１とに対応し、ｒは、副項７．２．１で定義される算式
【数３】
0006755181.tif 000005
によって与えられ、前式中では、Ｍ＝４および
【数４】
0006755181.tif 000006
である。また副項７．２．１は、順序特性およびｓｉ（ＲＢＧインデックス）をマップする値の範囲も定義している。対応する終了ＲＢＧインデックスが開始ＲＢＧインデックスと等しい場合、開始ＲＢＧインデックスでは、一つだけのＲＢＧがセットに割り当てられる。
【０１０９】
３ＧＰＰテクニカルスペシフィケーション３６．２１３バージョン１２．０．０の８．１．１項および８．１．２項は、アップリンクリソースブロックの数ＮＵＬＲＢについて記載しているが、本明細書で開示される技術は、端末装置間（Ｄ２Ｄ）グラント５４に対して割り当てられたＤ２Ｄリソースブロックの数としてＮＤ２ＤＲＢを代わりに用いる。また、本明細書では、パラメータＮＤ２ＤＲＢは、端末装置間（Ｄ２Ｄ）帯域幅パラメータとしても理解される。言い換えれば、リソース指示値（ＲＩＶ）および端末装置間（Ｄ２Ｄ）グラント５４に対する組み合わせｒの表現を定めるのに、ＮＵＬＲＢではなくＮＤ２ＤＲＢが使用される。しかして、パラメータＮＤ２ＤＲＢは、端末装置間（Ｄ２Ｄ）通信対して利用可能なリソースブロックの特定の数を全体的に指定する。パラメータＮＤ２ＤＲＢは前もって設定することができる。いくつかの例示の実施形態およびモードにおいて、パラメータＮＤ２ＤＲＢは、ＮＵＬＲＢと等しく（同一に）することも可能である。他の例示の実施形態およびモードにおいて、パラメータＮＤ２ＤＲＢは、ＮＵＬＲＢよりも小さくてもよい。他の例示の実施形態およびモードでは、パラメータＮＤ２ＤＲＢは、ＮＵＬＲＢ／ｘなどＮＵＬＲＢの分数であってもよく、ｘはノード２２によって設定することができる。
【０１１０】
パラメータＮＤ２ＤＲＢは、ノード２２および第一ワイヤレス端末装置２６１の双方に連絡されていれば、アップリンク（ＵＬ）グラントに使用されたＤＣＩフォーマットが、端末装置間（Ｄ２Ｄ）グラントに基本的に「再使用される」ことを可能にするが、ＮＵＬＲＢがＮＤ２ＤＲＢで置き換えられている必要がある。アップリンクグラントの特性を継承するＤ２Ｄグラントの使用は、既存の物理アップリンク（ＵＬ）との互換性を提供し、しかして実装を簡易化する。ＤＣＩフォーマットの十分なフレキしビリティを維持することが可能で、多入力多出力（ＭＩＭＯ：ｍａｎｙ  ｉｎ  ｍａｎｙ  ｏｕｔ）技法に対するシステムの「将来の保証」を提供する。
【０１１１】
前述から、ダウンリンク制御情報（ＤＣＩ）が、無線アクセスノードによって、端末装置間（Ｄ２Ｄ）スケジューリングのために使用できることが分かる。したがって、図３Ａおよび図３Ａの説明など前述の説明と相まって、本明細書で開示される技術によって、無線アクセスノードが、物理ダウンリンク制御チャネル（ＰＤＣＣＨ）上でダウンリンク制御情報（ＤＣＩ）を送信することができ、該情報は、スケジューリング割り当ての送信のための無線リソースと、第二ワイヤレス端末装置とのＤ２Ｄ通信において第一ワイヤレス端末装置が使用するためのスケジューリング割り当てによってスケジュールされる、端末装置間（Ｄ２Ｄ）データ通信用の無線リソースと、を指定することが理解される。同様に、ワイヤレス端末装置のプロセッサは、物理ダウンリンク制御チャネル（ＰＤＣＣＨ）上のダウンリンク制御情報（ＤＣＩ）から、スケジューリング割り当ての送信のための無線リソースと、第二ワイヤレス端末装置との端末装置間（Ｄ２Ｄ）通信の実施においてワイヤレス端末装置が使用するためのスケジューリング割り当てによってスケジュールされる、端末装置間（Ｄ２Ｄ）データの送信のための無線リソースと、を得るように構成できることも理解される。
【０１１２】
さらに、本明細書で開示される技術の別の態様として、本技術はＤ２Ｄ通信のための時間リソースのシグナリングも提供する。いくつかの例示の実装において、Ｄ２Ｄ通信のための時間リソースのシグナリングは、例えば、フレームのどのサブフレームに端末装置間（Ｄ２Ｄ）通信が適用されているかを示すビットストリングまたはビットマップを含み得る。例えば、図５において、時間ドメインスケジューリング情報は、「１１１０００００」のビットストリングを含み、この「１」は、端末装置間（Ｄ２Ｄ）通信のためのサブフレームの配分を意味する。他の例示の実装において、時間リソースのシグナリングは、各秩序付けられたペアの第一フィールドが端末装置間（Ｄ２Ｄ）通信に許可されている開始サブフレームを示す、各秩序付けられたペアの第一フィールドと、どれだけ多くの後続サブフレームに対し端末装置間（Ｄ２Ｄ）通信が適用されているか（例えば、端末装置間（Ｄ２Ｄ）通信の持続期間）を示す、各秩序付けられたペアの第二フィールドとを備えた、一つ以上の秩序付けられたフィールドのペアを含むことができる。或る例示の実施形態において、ノードプロセッサ３０は、Ｄ２Ｄ通信に対する時間ドメインのスケジューリング情報８０を含めるため、図６のダウンリンク制御情報（ＤＣＩ）の下記の一つ以上のフィールドを設定するようになされる：ＣＳＩ要求フィールド７１、ＳＲＳ要求フィールド７２、アップリンクインデックスフィールド６９、リソース配分フィールド６４、および変調および符号化スキーム（ＭＳＣ）／冗長バージョン（ＲＶ）フィールド６５。
【０１１３】
図７は、ＮＤ２ＤＲＢ、変調および符号化スキーム（ＭＣＳ）、電力、および冗長度バージョン（ＲＶ）などのパラメータの送信を含む、ノード２２、第一ワイヤレス端末装置２６１、および第二ワイヤレス端末装置２６２の間の情報の送信と、ノード２２から第一ワイヤレス端末装置２６１への端末装置間（Ｄ２Ｄ）グラント５４の送信と、修正された端末装置間（Ｄ２Ｄ）グラント５４’および端末装置間（Ｄ２Ｄ）データ５６の第一ワイヤレス端末装置２６１から第二ワイヤレス端末装置２６２への送信と、を図式的に示す。
【０１１４】
図１Ｂによって基本的に示される例示の実施形態において、ノードプロセッサ３０は、端末装置間（Ｄ２Ｄ）グラント５４を含めるため、物理ダウンリンク共用チャネル（ＰＤＳＣＨ）を構成するようになされる。或る例示の実施形態およびモードにおいて、ノードプロセッサ３０は、リソースグリッドの何のリソースブロックが端末装置間（Ｄ２Ｄ）通信のための無線リソースとして使用されるかを指定するため、ＰＤＳＣＨ５０”の媒体アクセス制御（ＭＡＣ）制御要素５５を構成するようになされる。すなわち、ＰＤＳＣＨ５０”の媒体アクセス制御（ＭＡＣ）制御要素５５は、期間リソース指示値（ＲＩＶ）、切れ目なく配分されるリソースブロック（ＬＣＲＢ）、および組み合わせインデックスｒなどの値を搬送することが可能である。Ｄ２Ｄリソース割り当てに用いられるＭＡＣの制御要素５５は、ＭＡＣヘッダの中で識別されてよい。
【０１１５】
図１Ａの例示の実施形態において、ノードプロセッサ３０は、Ｄ２Ｄグラントが特定のワイヤレス端末装置、例えば第一ワイヤレス端末装置２６１に向けられていることを指定するために、ダウンリンク制御情報（ＤＣＩ）６０の少なくとも一部を設定する。或る特定の実装において、ノードプロセッサ３０は、Ｄ２Ｄグラントが第一ワイヤレス端末装置に向けられていることを指定するために、ワイヤレス端末装置のＤ２Ｄ無線ネットワーク一時アイデンティティ（ＲＮＴＩ）を使って、ダウンリンク制御情報（ＤＣＩ）の巡回冗長検査（ＣＲＣ）部分を符号化するようになされる。
【０１１６】
図８は、Ｌ１／Ｌ２制御シグナリングの或る態様の処理を示しており、この処理には、端末装置間（Ｄ２Ｄ）グラント５４が含まれる物理ダウンリンク制御チャネル（ＰＤＣＣＨ）５０’に対する動作の処理が含まれる。図８の処理には、複数のワイヤレス端末装置、例えばワイヤレス端末装置Ａ〜Ｎ、しかして複数の物理ダウンリンク制御チャネル（ＰＤＣＣＨ）、例えばＰＤＣＣＨＡ〜ＰＤＣＣＨＮの処理が含まれてよい。各ＰＤＣＣＨに対する処理の三つの動作が、各ワイヤレス端末装置に対し別々に実施される。ワイヤレス端末装置Ａに対し、動作８−１Ａは、ＣＲＣ組み付け、例えば、物理ダウンリンク制御チャネル（ＰＤＣＣＨ）５０’への巡回冗長検査フィールドの組み付けを含む。動作８−２Ａは、テールバイティングコード（例えば、テールバイティング畳み込み符号化）の適用を含む。動作８−３Ａは、ワイヤレス端末装置Ａに対しＰＤＣＣＨＡを供するための伝送率の整合を含む。同等な動作８−１Ｎ〜動作８−３Ｎが、ワイヤレス端末装置Ｎに対するＰＤＣＣＨＮを供するためワイヤレス端末装置Ｎに対し実施される。動作８−４は、ＣＣＥ集約およびＰＤＣＣＨ多重化を含み、このことは、複数の物理ダウンリンク制御チャネル（ＰＤＣＣＨ）、例えばＰＤＣＣＨＡ〜ＰＤＣＣＨＮを或る特定の制御域に含めることが可能であることと理解される。動作８−５は、スクランブリングを含む。動作８−６は、ＱＰＳＫを含む。動作８−７は、インターリービングを含む。動作８−８は、セル固有の巡回シフティングを含む。
【０１１７】
動作８−１Ａおよび８−１Ｎと同時に、Ｌ１／Ｌ２処理／プロセッサは、各ＤＣＩメッセージペイロード（例えば、ダウンリンク制御情報（ＤＣＩ）６０）に巡回冗長検査（ＣＲＣ）を組み付ける。宛先端末装置のアイデンティティ、例えば、ワイヤレス端末装置Ａかまたはワイヤレス端末装置Ｎかは、ＣＲＣ計算に含まれ、しかして、別のフィールドとして明示で送信されることはない。ＤＣＩメッセージの目的の如何によっては、異なる無線ネットワーク一時アイデンティティ（ＲＮＴＩ）が、対象ワイヤレス端末装置に対するＣＲＣの符号化のため使用される。しかして、各ワイヤレス端末装置は、ＲＮＴＩ群のセットを有することが可能である。本明細書で開示される技術の一つの特徴は、端末装置間（Ｄ２Ｄ）グラント５４を含む物理ダウンリンク制御チャネル（ＰＤＣＣＨ）を符号化するための端末装置間（Ｄ２Ｄ）ＲＮＴＩ（Ｄ２Ｄ  ＲＮＴＩ）の提供である。上記に応じ、図８は、ＣＲＣ組み付け動作８−１Ａに関与するワイヤレス端末装置Ａに対するＤ２Ｄ  ＲＮＴＩ８２Ａ、およびＣＲＣ組み付け動作８−１Ｎに関与するワイヤレス端末装置Ｎに対するＤ２Ｄ  ＲＮＴＩ８２Ｎを示す。
【０１１８】
前述したように、第一ワイヤレス端末装置２６１は、端末装置プロセッサ４０および端末装置トランシーバ４２を含む。端末装置トランシーバ４２は、望ましくは、端末装置トランスミッタ部４４（例えば、端末装置トランスミッタ回路、または「トランスミッタ」）および端末装置レシーバ部４６（例えば、端末装置レシーバ回路、または「レシーバ」）を含む。第一ワイヤレス端末装置２６１のレシーバ４６は、前に説明した矢印線３Ａ−２で示されるように、無線インターフェース２４を介して通信システム２０から通信されるサブフレームＳを受信する。端末装置プロセッサ４０は、サブフレームＳのチャネル５０から端末装置間（Ｄ２Ｄ）グラント５４を検出または取得する。既に説明したように、端末装置間（Ｄ２Ｄ）グラント５４は、第一ワイヤレス端末装置２６１が、例えば第二ワイヤレス端末装置２６２など別のワイヤレス端末装置との端末装置間（Ｄ２Ｄ）通信に使用することを許可された無線リソースを指定する。第一ワイヤレス端末装置２６１のトランスミッタ４４は、例えば、第一ワイヤレス端末装置２６１からノード２２へのアップリンク（ＵＬ）上でデータを送信する働きをするが、また、Ｄ２Ｄグラント５４によって許可された無線リソースを使って、例えば第二ワイヤレス端末装置２６２など別のワイヤレス端末装置（群）に端末装置間（Ｄ２Ｄ）データを送信する働きもする。
【０１１９】
上記の点に関し、チャネル５０がＰＤＣＣＨである図１Ａの例示の実施形態と併せ当然のことながら、端末装置プロセッサ４０は、例えば、図６および同図での適切な情報の取得に関連させて前に説明したように、リソースグリッドの何のリソースブロックが、端末装置間（Ｄ２Ｄ）通信のための無線リソースとして使用されるかを、ダウンリンク制御情報（ＤＣＩ）６０のリソースブロック割り当てフィールド６４から得る。例えば、ＤＣＩ６０のリソース配分型フィールド７３がリソース配分型０を示しているとき、端末装置プロセッサ４０は、ダウンリンク制御情報（ＤＣＩ）６０のリソースブロック割り当てフィールド６４からリソース指示値（ＲＩＶ）を得る。他方、リソース配分型フィールド７３がリソース配分型１を示しているとき、端末装置プロセッサ４０は、ダウンリンク制御情報（ＤＣＩ）６０のリソースブロック割り当てフィールド６４から、Ｄ２Ｄ通信のため使用されることになるリソースブロックの二つのセットの判定を可能にする組み合わせインデックスｒを得る。さらに、端末装置プロセッサ４０は、図６を参照して前述したように、時間ドメインスケジューリング情報８０を識別することもできる。
【０１２０】
また、端末装置プロセッサ４０は、ダウンリンク制御情報（ＤＣＩ）の少なくとも一部から、Ｄ２Ｄグラントが第一ワイヤレス端末装置に向けられていることを検出するように構成される。或る例示の実装において、図８の説明から理解されるように、端末装置プロセッサ４０は、ダウンリンク制御情報（ＤＣＩ）の、ワイヤレス端末装置のＤ２Ｄ無線ネットワーク一時アイデンティティ（ＲＮＴＩ）を使って符号化された巡回冗長検査（ＣＲＣ）から、Ｄ２Ｄグラントが第一ワイヤレス端末装置２６１に向けられていることを検出するように構成される。Ｄ２Ｄグラントのために使われるＤＣＩフォーマットのビット長さは、広域ネットワーク（ＷＡＮ）通信のためのＤＣＩフォーマット（例えばＤＣＩフォーマット０）の一つ以上と同じビット長さである。Ｄ２Ｄグラントのために使用されるＤＣＩフォーマットは、広域ネットワーク（ＷＡＮ）通信のためのＤＣＩフォーマット（例えばＤＣＩフォーマット０）の一つ以上と共用される。
【０１２１】
図９は、図１Ａの無線通信ネットワークの例示の実施形態をさらに詳細に示す。当然のことながら、図９は、ノード２２および第一ワイヤレス端末装置２６１が構造的におよび／または機能的にどのように実施できるかについての単なる一つの例示の実装である。図１Ａ（図９Ｂを包含する）および図１Ｂの例示の実施形態は、望ましくは、電子機器を用いて実装される。ノード２２は、ノード電子機器８６を含み、第一ワイヤレス端末装置２６１は端末装置電子機器８８を含む。図１Ａ、図１Ｂ、および図９中で、ノード２２および第一ワイヤレス端末装置２６１の破線で枠取りされた様々なユニットおよび機能が、それぞれ、ノード電子機器８６および端末装置電子機器８８によって実装されている。何が「ノード」電子機器を構成しているかについては、図１０を参照してさらに詳細を説明する。
【０１２２】
図９の例示の実施形態において、ノード２２は、フレームプロセッサとしても知られるノードプロセッサ３０、およびノードトランスミッタ３２を含む。ノードトランスミッタ３２は、通常、複数のアンテナ３２Ａを含む。ノードプロセッサ３０は、ノードスケジューラ１００およびノードフレームハンドラ１０４を含んでさらに詳細に示されている。基本的に、ノードスケジューラ１００は、ノードトランスミッタ３２によってダウンリンク（ＤＬ）上でノード２２から第一ワイヤレス端末装置２６１（および他のワイヤレス端末装置）に送信される情報を、フレーム中に作成またはフォーマットする。ノードスケジューラ１００は、Ｄ２Ｄグラントユニット１０６を含み、該ユニットは、物理ダウンリンク制御チャネル（ＰＤＣＣＨ）５０’中に含めるための、端末装置間（Ｄ２Ｄ）グラント５４を作成する働きをする。ノードフレームハンドラ１０４は、例えば、第一ワイヤレス端末装置２６１などのワイヤレス端末装置から、アップリンク上のフレーム中で受信された情報を処理する働きをする。
【０１２３】
また、図９のノード２２は、端末装置間（Ｄ２Ｄ）コントローラ１１０およびＲＮＴＩメモリ１１２、並びにＬ１／Ｌ２制御信号プロセッサ１１４を含む。Ｌ１／Ｌ２制御信号プロセッサ１１４は、同様にＣＲＣ組み付けユニット１１６を含む。Ｄ２Ｄコントローラ１１０は、アクセスノードとワイヤレス端末装置とのやり取りを継続追跡し、これには、Ｄ２Ｄグラントに関連する潜在的使用のため、Ｄ２Ｄリソースプールにどの無線リソースが適格であるかまたは含まれるべきかを判断することが含まれる。Ｌ１／Ｌ２制御信号プロセッサ１１４は、図８を参照して前述したようなオペレーションを実施する。ＣＲＣ組み付けユニット１１６は、具体的には、端末装置間（Ｄ２Ｄ）グラント５４が宛てられる特定のワイヤレス端末装置のＤ２Ｄ  ＲＮＴＩを使って、物理ダウンリンク制御チャネル（ＰＤＣＣＨ）に対するＣＲＣを符号化する。ＣＲＣ組み付けユニット１１６は、しかしてＲＮＴＩメモリ１１２へのアクセスを有し、ＣＲＣ組み付けユニット１１６が端末装置間（Ｄ２Ｄ）グラント５４の宛先となるワイヤレス端末装置に対するＤ２Ｄ  ＲＮＴＩを得て、このように得られたＤ２Ｄ  ＲＮＴＩを用い、物理ダウンリンク制御チャネル（ＰＤＣＣＨ）５０’に対するＣＲＣを符号化することができる。
【０１２４】
第一ワイヤレス端末装置２６１は、端末装置プロセッサ４０および端末装置トランシーバ４２を含む。端末装置トランシーバ４２は、通常、複数のアンテナ４２Ａを含む。図９の第一ワイヤレス端末装置２６１の、フレームプロセッサとしても知られる端末装置プロセッサ４０は、端末装置スケジューラ１２０および端末装置デコーダ１２２を含む。端末装置デコーダ１２２は、無線インターフェース２４を介してノード２２から受信されるフレームのダウンリンク（ＤＬ）部分を分析する。端末装置デコーダ１２２のグラント復号ユニット１２４は、端末装置間（Ｄ２Ｄ）グラント５４を得るために、サブフレームの制御域、具体的には物理ダウンリンク制御チャネル（ＰＤＣＣＨ）５０’を分析する。端末装置スケジューラ１２０は、Ｄ２Ｄグラントユニット１２６およびＤ２Ｄデータユニット１２８を含む。Ｄ２Ｄグラントユニット１２６は、図３Ｂおよび図４の動作３Ｂ−３として、端末装置トランスミッタ部４４によって、図４のサブフレームＳＧなどのサブフレーム中で第二ワイヤレス端末装置２６２に送信するための端末装置間（Ｄ２Ｄ）グラント５４’を作成する。Ｄ２Ｄデータユニット１２８は、図３Ａおよび図４の動作３Ａ−３によって示されるように、端末装置トランスミッタ部４４によって、一つ以上のサブフレーム（群）Ｓ１中で第二ワイヤレス端末装置２６２に送信される端末装置間（Ｄ２Ｄ）データ５６として使われることになるＤ２Ｄデータを処理する。
【０１２５】
また、第一ワイヤレス端末装置２６１は、端末装置Ｄ２Ｄコントローラ１３０と、端末装置ＲＮＴＩメモリ１３２と、複数の実行可能アプリケーション１３４と、一つ以上のユーザインタフェース（ＧＵＩ）１３６と、を含む。ユーザインタフェース（ＧＵＩ）１３６は、実行可能アプリケーション１３４の一つ以上を作動またはそれらとやり取りするために使われてよい。アプリケーション１３４の一つ以上は、実行されたとき、例えば第二ワイヤレス端末装置２６２など別のワイヤレス端末装置との端末装置間（Ｄ２Ｄ）通信を促進または誘起することができる。端末装置間（Ｄ２Ｄ）通信が、アプリケーションによって誘起または起動されたとき、端末装置Ｄ２Ｄコントローラ１３０は、その端末装置間（Ｄ２Ｄ）通信を管理または制御する。実行可能アプリケーション１３４によって実施される活動の中には、スケジューリング要求およびバッファ状態レポートのノード２２への送信を開始すること、および端末装置間（Ｄ２Ｄ）グラント５４’を送信するためにＤ２Ｄグラントユニット１２６とやり取りすること、並びに第二ワイヤレス端末装置２６２に端末装置間（Ｄ２Ｄ）データ５６を送信するためにＤ２Ｄデータユニット１２８とやり取りすることがある。
【０１２６】
第一ワイヤレス端末装置２６１の端末装置ＲＮＴＩメモリ１３２は、受信されたダウンリンク制御情報（ＤＣＩ）６０のＣＲＣ部分を復号し、これにより、端末装置間（Ｄ２Ｄ）グラント５４が第一ワイヤレス端末装置２６１に宛てられているかどうかを判断するために端末装置間（Ｄ２Ｄ）ＲＮＴＩが使用できるように、ＲＮＴＩの中でとりわけ第一ワイヤレス端末装置２６１に関連付けられた端末装置間（Ｄ２Ｄ）ＲＮＴＩを格納する。復号の仕方は、基本的には、動作８−１に関して前述した符号化オペレーションの逆方向の処理であると理解される。また、端末装置ＲＮＴＩメモリ１３２は、例えば第二ワイヤレス端末装置２６２など、そのデバイスに第一ワイヤレス端末装置２６１が端末装置間（Ｄ２Ｄ）グラント５４’を送信する可能性のある他のワイヤレス端末装置に対するＤ２Ｄ  ＲＮＴＩアドレスも含んでよい。
【０１２７】
或る例示の実施形態において、破線で枠取りされたノード２２の特定のユニットおよび機能がノード電子機器８６によって実装されることは前述した。同様に、或る例示の実施形態において、破線で枠取りされた第一ワイヤレス端末装置２６１の特定のユニットおよび機能が端末装置電子機器８８によって実装される。図１０は、ノード電子機器８６または端末装置電子機器８８を問わず、かかる電子機器の一例を、一つ以上のプロセッサ１４０と、プログラム命令メモリ１４２と、他のメモリ１４４（例えばＲＡＭ、キャッシュなど）と、入力／出力インターフェース１４６と、周辺インターフェース１４８と、支援回路１４９と、前述のユニットの間の通信のためのバス１５０と含むとして、示している。
【０１２８】
メモリ１４４またはコンピュータ可読媒体は、ラダムアクセスメモリ（ＲＡＭ：ｒａｎｄｏｍ  ａｃｃｅｓｓ  ｍｅｍｏｒｙ）、読み取り専用メモリ（ＲＯＭ：ｒｅａｄ  ｏｎｌｙ  ｍｅｍｏｒｙ）、フロッピディスク、ハードディスク、フラッシュメモリ、またはローカルもしくはリモートの望ましくは不揮発性の任意の形のデジタルストレージなど、容易に入手可能なメモリの一つ以上であってよい。支援回路１４９は、プロセッサ１４０を支援するため、該プロセッサに従来の方式で連結される。これらの回路は、キャッシュ、電源、クロック回路、入力／出力回路、および諸サブシステムなどを含む。
【０１２９】
開示された実施形態のプロセスおよび方法は、ソフトウェアルーティンとして実装されるとして考察することができるが、本明細書で開示する方法ステップの一部は、ハードウェアおよびプロセッサ実行のソフトウェアによって実施されてもよい。しかして、これらの実施形態は、コンピュータシステム上で実行されるソフトウェアに、特定用途向け集積回路としてハードウェアに、もしくは他の種類のハードウェア実装に、またはソフトウェアとハードウェアとの組み合わせで実装することが可能である。開示された実施形態のソフトウェアルーティンは任意のコンピュータオペレーティングシステム上で実行ができ、任意のＣＰＵアーキテクチャを用いて実施が可能である。
【０１３０】
或る例示の実施形態において、Ｄ２Ｄグラントのコンテンツ以外の、ダウンリンク制御情報（ＤＣＩ）および物理ダウンリンク制御チャネル（ＰＤＣＣＨ）は、第三世代パートナープロジェクト（３ＧＰＰ）テクニカルスペシフィケーション３６．２１２バージョン１２．０．０に従ってフォーマットされる。
【０１３１】
本明細書で開示される技術の諸態様は、端末装置間（Ｄ２Ｄ）通信に対する既存のスケジュール割り当て手法の再利用を促進する。本明細書で開示される技術は、ＷＡＮの既存のシグナリング手法の再利用を可能にしつつ、Ｄ２Ｄリソース領域を表すパラメータ（ＮＤ２ＤＲＢ）を導入する。端末装置間（Ｄ２Ｄ）帯域幅パラメータＮＤ２ＤＲＢの導入は、保持されるダウンリンク制御情報（ＤＣＩ）のフォーマットのフレキシビリティを可能にし、なお、前述の事項を含む従前のＬＴＥ業界標準スペシフィケーションの構造を維持することが可能である。
【０１３２】
また、本明細書で開示される技術は、物理ダウンリンク制御チャネル（ＰＤＣＣＨ）または拡張物理ダウンリンク制御チャネル（ＥＰＤＣＣＨ）中のＤＣＩ中の搬送波指示フィールド（ＣＩＦ：Ｃａｒｒｉｅｒ  Ｉｎｄｉｃａｔｉｏｎ  Ｆｉｅｌｄ）を、どの端末装置間通信が実施されてよいかを示すために再目的付けする。ＤＣＩ中の搬送波指示フィールド（ＣＩＦ）は、Ｄ２Ｄグラントに対応するアップリンクコンポーネント搬送波を指示することが可能である。
【０１３３】
本明細書で開示される技術によれば、送信のためのリソースのマッピングは、送信のための実際のリソースブロック（リソース要素のセット）、もしくは実際のリソースブロックのセットにさらにマップされる、送信のための仮想リソースブロックのいずれに対しても行うことができる。
【０１３４】
本明細書で開示される技術は、オペレータに対し、Ｄ２Ｄスペクトルに対する制御の合理的な手段を可能にし、さらに、３ＧＰＰ  ＬＴＥ業界標準と不整合の生じない仕方で、フレキシブルに時間／周波数リソースを配分することを可能にする。
【０１３５】
前述から理解されるように、本明細書で開示される技術の諸態様は、ＷＡＮに対するＵＬグラントをスケジューリングするための行われるのと類似の方法をたどりながら、Ｄ２Ｄに対するスケジューリング割り当て情報のためのリソース割り当てを容易にする。但し、本明細書で開示される技術は、ＷＡＮリソースと比べ限定されたＤ２Ｄリソースを考慮し、Ｄ２Ｄに対する周波数ドメインリソース配分のためのビットの数を低減するオプションを提供する。例えば、前述のように、アップリンクパラメータＮＵＬＲＢは、本明細書で開示される技術によって、端末装置間（Ｄ２Ｄ）帯域幅パラメータＮＤ２ＤＲＢで置き換えることが可能である。いくつかの例示の実装において、端末装置間（Ｄ２Ｄ）帯域幅パラメータＮＤ２ＤＲＢは、アップリンクパラメータＮＵＬＲＢより小さくてもよい。
【０１３６】
別の例として、型０のリソース配分において、切れ目なく配分されるリソースブロックの期間の長さ（ＬＣＲＢ≧１）は、値Ｙに制限することが可能である。値Ｙは、例えば１、２、ＮＵＬＲＢ／ｍなどとすればよい（このｍは非ゼロで１より大きい整数である）。Ｌ  ＣＲＢの可能最大サイズを制限することにより、リソースブロック割り当ておよびホッピングリソース配分［ｌｏｇ２（ＮＵＬＲＢ（ＮＵＬＲＢ＋１）／２）］ビットは、［ｌｏｇ２（ＬｍａｘＣＲＢ（ＮＵＬＲＢ＋１）／２）］ビットに低減することができる。例えば、図６を参照すれば理解されるように、「リソースブロック割り当ておよびホッピングリソース配分」フィールド６４、ＣＳＩ要求フィールド、および／または、変調および符号化スキームおよび冗長バージョンフィールド６５を含む他のフィールドの残余のビットは、時間ドメインスケジューリング情報のために使用が可能である。例えば、スケジュール割り当て（ＳＡ）時間および／または周波数リソースは、専用の無線リソース制御（ＲＲＣ）シグナリング、または同報通信されるシステム情報によって設定すればよい。スケジューリング割り当て（ＳＡ）リソースプールは無線リソース制御（ＲＲＣ）によって設定することが可能である。前述のように、ＳＡ送信リソースは送信側ワイヤレス端末装置に動的に割り当てることができる。時間ドメインに対しては、ＳＡリソース（群）またはＳＡリソースプールの周期性が設定される。Ｄ２Ｄデータ送信の配分間隔（スケジューリング期間を含む）は、ＳＡリソース（群）またはＳＡリソースプールの一つまたは複数の周期性とすることができる。Ｄ２Ｄグラントに対するＤＣＩ中の時間ドメインスケジューリング情報は、ＳＡリソース（群）またはＳＡリソースプールの周期性により決まることになる。
【０１３７】
本明細書で開示される技術は、しかして、例えば図１Ａに関連して説明したようなスケジューリング割り当て情報を含む、Ｄ２Ｄグラントに対するＤＣＩフォーマットを提供するが、これはＰＤＣＣＨのＤＣＩの使用に限定されない。ＰＤＣＣＨを用いる代わりに、スケジューリング割り当て情報は、ノード２２から、例えば第一ワイヤレス端末装置２６１などの送信側ワイヤレス端末装置へのＰＤＳＣＨ中の媒体アクセス制御（ＭＡＣ）制御要素５５によって配信することも可能である。また、第一ワイヤレス端末装置２６１など送信側ワイヤレス端末装置は、ＰＵＳＣＨ上の同等なＭＡＣ制御要素を介して、スケジューリング割り当て（ＳＡ）を第二ワイヤレス端末装置２６２などの受信側ワイヤレス端末装置に送信してもよい。
【０１３８】
以下に限らないが、「コンピュータ」、「プロセッサ」、または「コントローラ」として表示されまたは記載されているものを含め、機能ブロックを含む様々な要素の機能は、回路ハードウェアおよび／またはコンピュータ可読媒体に格納された符号化命令の形のソフトウェアを実行可能なハードウェアなどのハードウェアの使用を介して提供することができる。しかして、かかる機能および図示された機能ブロックは、ハードウェア実装、および／またはコンピュータ実装のいずれでもあって、しかしてマシン実装であると理解されることになる。
【０１３９】
ハードウェア実装の観点から、これら機能ブロックは、限定はされないが、デジタル信号プロセッサ（ＤＳＰ：ｄｉｇｉｔａｌ  ｓｉｇｎａｌ  ｐｒｏｃｅｓｓｏｒ）ハードウェア、縮小命令セットプロセッサ、以下に限らないが特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）（群）を含むハードウェア（例えばデジタルまたはアナログの）回路、および／またはフィールドプログラム可能ゲートアレイ（ＦＰＧＡ：ｆｉｅｌｄ  ｐｒｏｇｒａｍｍａｂｌｅ  ｇａｔｅ  ａｒｒａｙ）（群）、および（該当する場合）かかる機能を遂行可能な状態マシン、を含みまたは包含し得る。
【０１４０】
コンピュータ実装の観点からは、コンピュータは、一般に、一つ以上のプロセッサ、または一つ以上のコントローラを含むと理解され、本明細書では、用語コンピュータとプロセッサとコントローラとは互換的に用いられることがある。上記の機能が、コンピュータまたはプロセッサまたはコントローラによって提供される場合、これらの機能は、単一の専用コンピュータまたはプロセッサまたはコントローラによって、単一の共用コンピュータまたはプロセッサまたはコントローラによって、あるいは、一部が共用または分散可能な複数の別個のコンピュータまたはプロセッサまたはコントローラによって提供することができる。さらに、用語「プロセッサ」または「コントローラ」の使用は、前述で例示のハードウェアなど、かかる機能を遂行しおよび／またはソフトウェアを実行することが可能な他のハードウェアをも指すと解釈するものとする。
【０１４１】
以下に限らないが、「コンピュータ」、「プロセッサ」、または「コントローラ」として表示されまたは記載されているものを含め、機能ブロックを含む様々な要素の機能は、回路ハードウェアおよび／またはコンピュータ可読媒体に格納された符号化命令の形のソフトウェアを実行可能なハードウェアなどのハードウェアの使用を介して提供することができる。しかして、かかる機能および図示された機能ブロックは、ハードウェア実装、および／またはコンピュータ実装のいずれでもあって、しかしてマシン実装であると理解されることになる。
【０１４２】
また、エアインターフェースを使って通信するノードも適切な無線通信回路を有する。加えて、本技術は、プロセッサに本明細書に記載の技法を実行させるようなコンピュータ命令の適切なセットを包含する、固体メモリ、磁気ディスク、または光ディスクなどの、任意の形のコンピュータ可読メモリ内に全体を具現化することもさらに考えることができる。
【０１４３】
本明細書で説明した概念に対して用いられた用語の一部が、例えば３ＧＰＰ技術規格などの最新の業界文書中で更新または変更されている。前述したように、「端末装置間（Ｄ２Ｄ）」は、現在は「サイドリンク直接」とも呼ばれている。いくつかの他の用語も変更されており、下記の表２に一部を記載する。
【０１４４】
【表２】
0006755181.tif 000007
【０１４５】
上記の説明は、多くの特定性を含むが、これらは、本明細書で開示される技術の範囲を限定するものではなく、単に、本明細書で開示される技術の現在の好適な実施形態の一部の例示するものであると解釈されるべきである。したがって、当然のことながら、本明細書で開示される技術の範囲は、当業者にとって明らかとなり得る他の実施形態を全面的に包含するものであり、よって、本明細書で開示される技術の範囲は不当に限定されるものではない。添付の特許請求の範囲において、単数形の要素は、明示でそう示されている場合を除き、「一つおよび一つだけの」ではなく「一つ以上の」を意味することが意図されている。当業者が知る、前述の好適な実施形態の要素の全ての構造的および機能的等価物は、本明細書に包含される。さらに、本明細書に包含される対象のデバイスまたは方法が、本明細書に開示する技術によって解決が希求されるありとあらゆる問題を取り上げる必要はない。加えて、本開示中のどの要素、コンポーネント、または方法ステップも、それら要素、コンポーネント、または方法ステップは、特許請求の範囲に明示で記載されているかどうかにかかわらず、パブリックに献呈されることは意図されていない。
【図１】
0006755181.tif 000008
【図１Ａ】
0006755181.tif 000009
【図１Ｂ】
0006755181.tif 000010
【図２】
0006755181.tif 000011
【図３Ａ】
0006755181.tif 000012
【図３Ｂ】
0006755181.tif 000013
【図４】
0006755181.tif 000014
【図５Ａ】
0006755181.tif 000015
【図５Ｂ】
0006755181.tif 000016
【図５Ｃ】
0006755181.tif 000017
【図６】
0006755181.tif 000018
【図７】
0006755181.tif 000019
【図８】
0006755181.tif 000020
【図９】
0006755181.tif 000021
【図１０】
0006755181.tif 000022
【図１１】
0006755181.tif 000023